(57)【要約】  本発明の液晶表示装置（１００）は、画素がマトリクス状に配列された液晶パネル（３）と該液晶パネルに対して光を照射するバックライト（２）とを備えている。液晶パネル（３）に含まれる画素は、互いに色の異なる複数の絵素で構成されており、各絵素は、当該絵素の色に対応したカラーフィルタを有している。液晶表示装置（１００）には、光学的なクロストークを減少させるために、入力された画像データの開口率を低下させて出力する開口率変換部（１２１）と、開口率変換部（１２１）によって低下する画像データの開口率を補うために、バックライトの輝度を高めるようにデータを変換するバックライトデータ変換部（１２２）（バックライト輝度制御部）とが設けられている。このようなバックライトの輝度制御を行うことによって、光学的なクロストークあるいは電気的なクロストークの発生を抑えたり、減少させたりする。
2011004516.tif 000002
【特許請求の範囲】
【請求項１】
画素がマトリクス状に配列された液晶パネルと該液晶パネルに対して光を照射するバックライトとを備えた液晶表示装置であって、
上記画素は、互いに色の異なる複数の絵素で構成されており、各絵素は、当該絵素の色に対応したカラーフィルタを有しているとともに、
上記絵素が有する上記カラーフィルタから透過される当該絵素の色とは異なる色の波長の光を減少させるために、入力された画像データにおける絵素の開口率を低下させて出力する開口率変換部と、
上記開口率変換部によって低下する上記開口率を補うために、上記開口率を低下させないときと比較して、バックライトの輝度を高めるバックライト輝度制御部と、を備え、
上記バックライト輝度制御部によって決定されたバックライトの輝度と、上記開口率変換部によって開口率の変換処理が行われた上記液晶パネルの各絵素の開口率とによって、目的とする階調表示を行うことを特徴とする液晶表示装置。
【請求項２】
上記バックライトは、複数色の上記絵素に対応した色の光源をそれぞれ有しており、
上記開口率変換部は、上記画素を構成している複数色の絵素のうち、当該絵素上に設けられたカラーフィルタから当該絵素の色とは異なる色の光がより多く透過されるカラーフィルタを有する絵素の画像データについて、開口率を低下させる処理を行うものであり、
上記バックライト輝度制御部は、上記開口率変換部によって開口率の低下処理が行われる絵素の色に対応する色の光源について、他の色の光源の輝度と比較して、輝度をより高める処理を行うものであることを特徴とする請求項１に記載の液晶表示装置。
【請求項３】
上記画素は、赤色、緑色、および青色の絵素で構成されており、
上記バックライトは、赤色、緑色、および青色の光源を有しており、
上記開口率変換部は、緑色の絵素の画像データについて、開口率を低下させる処理を行うものであり、
上記バックライト輝度制御部は、赤色および青色の光源の輝度と比較して、緑色の光源の輝度をより高める処理を行うものであることを特徴とする請求項２に記載の液晶表示装置。
【請求項４】
上記バックライトの発光面は、複数の発光領域に分割され、
上記バックライト輝度制御部は、分割された発光領域ごとに異なる輝度制御を行うものであることを特徴とする請求項１〜３の何れか１項に記載の液晶表示装置。
【請求項５】
上記バックライトは、複数色の上記絵素に対応した色の光源をそれぞれ有しているとともに、
一画素内に含まれる各絵素間の階調差が小さくなるように、入力された画像データにおける各絵素の開口率を変換して出力する第２の開口率変換部と、
上記第２の開口率変換部によって小さくなった上記各絵素間の階調差を補正するために、上記第２の開口率変換部によって開口率が低下する絵素の色と同じ色の光源の輝度を、上記第２の開口率変換部によって開口率が変化しない絵素の色と同じ色の光源の輝度よりも高くし、
上記第２の開口率変換部によって開口率が上昇する絵素の色と同じ色の光源の輝度を、上記第２の開口率変換部によって開口率が変化しない絵素の色と同じ色の光源の輝度よりも低くする、第２のバックライト輝度制御部と、をさらに備え、
上記開口率変換部および上記バックライト輝度制御部と、上記第２の開口率変換部および上記第２のバックライト輝度制御部との少なくとも何れかを用いて各絵素の開口率の変換およびバックライトの輝度制御を行っていることを特徴とする請求項１〜４の何れか１項に記載の液晶表示装置。
【請求項６】
画素がマトリクス状に配列された液晶パネルと該液晶パネルに対して光を照射するバックライトとを備えた液晶表示装置であって、
上記画素は、互いに色の異なる複数の絵素で構成されており、各絵素は、当該絵素の色に対応したカラーフィルタを有しているとともに、
上記バックライトは、複数色の上記絵素に対応した色の光源をそれぞれ有しており、
一画素内に含まれる各絵素間の階調差が小さくなるように、入力された画像データにおける各絵素の開口率を変換して出力する開口率変換部と、
上記開口率変換部によって小さくなった上記各絵素間の階調差を補正するために、上記開口率変換部によって開口率が低下する絵素の色と同じ色の光源の輝度を、上記開口率変換部によって開口率が変化しない絵素の色と同じ色の光源の輝度よりも高くし、
上記開口率変換部によって開口率が上昇する絵素の色と同じ色の光源の輝度を、上記開口率変換部によって開口率が変化しない絵素の色と同じ色の光源の輝度よりも低くする、バックライト輝度制御部と、を備え、
上記バックライト輝度制御部によって決定されたバックライトの輝度と、上記開口率変換部によって開口率の変換処理が行われた上記液晶パネルの各絵素の開口率とによって、目的とする階調表示を行うことを特徴とする液晶表示装置。
【請求項７】
上記バックライトの発光面は、複数の発光領域に分割され、
上記バックライト輝度制御部は、分割された発光領域ごとに異なる輝度制御を行うものであることを特徴とする請求項６に記載の液晶表示装置。
【請求項８】
画素がマトリクス状に配列された液晶パネルと該液晶パネルに対して光を照射するバックライトとを備え、上記画素は、互いに色の異なる複数の絵素で構成されており、各絵素は、当該絵素の色に対応したカラーフィルタを有している液晶表示装置の表示制御方法であって、
上記絵素が有する上記カラーフィルタから透過される当該絵素の色とは異なる色の波長の光を減少させるために、入力された画像データにおける絵素の開口率を低下させて出力する開口率変換工程と、
上記開口率変換工程によって低下する上記開口率を補うために、上記開口率を低下させないときと比較して、バックライトの輝度を高めるバックライト輝度制御工程と、を行い、
上記バックライト輝度制御工程によって決定されたバックライトの輝度と、上記開口率変換工程によって開口率の変換処理が行われた上記液晶パネルの各絵素の開口率とによって、目的とする階調表示を行うことを特徴とする液晶表示装置の表示制御方法。
【請求項９】
画素がマトリクス状に配列された液晶パネルと該液晶パネルに対して光を照射するバックライトとを備え、上記画素は、互いに色の異なる複数の絵素で構成されており、各絵素は、当該絵素の色に対応したカラーフィルタを有しているとともに、上記バックライトは、複数色の上記絵素に対応した色の光源をそれぞれ有している液晶表示装置の表示制御方法であって、
一画素内に含まれる各絵素間の階調差が小さくなるように、入力された画像データにおける各絵素の開口率を変換して出力する開口率変換工程と、
上記開口率変換工程によって小さくなった上記各絵素間の階調差を補正するために、上記開口率変換工程によって開口率が低下する絵素の色と同じ色の光源の輝度を、上記開口率変換工程によって開口率が変化しない絵素の色と同じ色の光源の輝度よりも高くし、
上記開口率変換工程によって開口率が上昇する絵素の色と同じ色の光源の輝度を、上記開口率変換工程によって開口率が変化しない絵素の色と同じ色の光源の輝度よりも低くする、バックライト輝度制御工程と、を行い、
上記バックライト輝度制御工程によって決定されたバックライトの輝度と、上記開口率変換工程によって開口率の変換処理が行われた上記液晶パネルの各絵素の開口率とによって、目的とする階調表示を行うことを特徴とする液晶表示装置の表示制御方法。
【発明の詳細な説明】
【技術分野】
【０００１】
本発明は、液晶表示装置、及び液晶表示装置の表示制御方法に関するものである。
【背景技術】
【０００２】
近年、ブラウン管（ＣＲＴ）に代わり急速に普及している液晶表示装置は、省エネ型、薄型、軽量型等の特長を備えており、薄型テレビ、モニター、携帯電話等に幅広く利用されている。液晶表示装置には、スイッチング素子として薄膜トランジスタ（ＴＦＴ）を備えたアクティブマトリクス型の液晶パネルが多く用いられている。【０００３】
アクティブマトリクス型の液晶パネルは、多数の画素がマトリクス状に配列されたアクティブマトリクス基板と、これに対向するように配置された対向基板とを備えており、さらにこれら２つの基板の間に表示媒体である液晶層が挟持された構造を有している。【０００４】
アクティブマトリクス基板上の各画素には、赤（Ｒ）・緑（Ｇ）・青（Ｂ）という３色の絵素（サブピクセル）が含まれており、対向基板側には各色の絵素に対応してＲＧＢのカラーフィルタが設けられている。ここで、各色のカラーフィルタは、例えば、図１４（特許文献２の図１３参照）に示すような分光特性を有している。【０００５】
図１４に示すように、各色のカラーフィルタにおいては、その透過率がＲＧＢのそれぞれの波長付近においてピークとなっているものの、他の色の波長の光もある程度透過する。ＲＧＢ各色の絵素には、上記のような特性を有するカラーフィルタがそれぞれ設けられているため、表示色の色純度が低下し、例えば、Ｇの絵素において青色の光が漏れてしまうような現象が起こる。【０００６】
例えば、図１４に示すようなカラーフィルタ特性を有している場合には、図１５に示すように、目的とする階調値（表現したい階調）を表現するために必要な輝度が、（Ｒ，Ｇ，Ｂ）＝（１００，１００，３０）であり、これに基づいてＬＣＤの開口率を（Ｒ，Ｇ，Ｂ）＝（１００，１００，３０）とすると、緑のカラーフィルタから青色の波長の光が漏れやすい傾向にあるため、バックライト照射光に含まれる青色光が緑のカラーフィルタから漏れてしまう。結果として、実際に表現される輝度は、図１５に示すように、（Ｒ，Ｇ，Ｂ）＝（１００，１００，４５）となってしまう。このような現象は、光学的なクロストークと呼ばれ、表示品位低下の原因となっている。【０００７】
また、アクティブマトリクス型の液晶パネルにおいては、隣接する絵素同士の間で表示階調に差が大きい場合、対象絵素にかかる電圧が、それに隣接する絵素へ印加される電圧の影響を受けて変化し、表示階調が所望とする階調値からずれてしまうという現象が起こる。このような現象は電気的なクロストークと呼ばれ、表示品位低下の原因となっている。【０００８】
図１６には、電気的なクロストークの一例を示す。この図に示すように、目的とする階調値を表現するために必要な輝度が、（Ｒ，Ｇ，Ｂ）＝（１００，１００，３０）であり、これに基づいてＬＣＤの開口率を（Ｒ，Ｇ，Ｂ）＝（１００，１００，３０）とすると、隣接し合うＧの絵素とＢの絵素との階調差の影響により、Ｇの見かけ上の階調値が低下してしまう。結果として、実際に表現される輝度は、図１６に示すように、（Ｒ，Ｇ，Ｂ）＝（１００，８５，３０）となってしまう。これにより色ずれおよび輝度低下といった表示品位の低下が発生する。【０００９】
特許文献１には、上記の光学的なクロストークを補正するために、液晶パネルの色補正を行う方法が開示されている。この方法は、装置内に、色回転回路、（Ｒ−Ｙ）増幅回路、（Ｂ−Ｙ）増幅回路、色逆回転回路という各回路を設けることによって実現される。【００１０】
図１７には、特許文献１に記載の方法で光学的なクロストークを解消する例を示す。この図に示すように、目的とする階調値を表現するために必要な輝度が、（Ｒ，Ｇ，Ｂ）＝（１００，１００，３０）である場合、液晶パネル（ＬＣＤ）のＧの絵素から漏れる青色光を予測した上で、Ｂの絵素の透過率が減少するように、ＬＣＤの開口率を（Ｒ，Ｇ，Ｂ）＝（１００，１００，３０）から（Ｒ，Ｇ，Ｂ）＝（１００，１００，１５）へ変換する処理を行う。【００１１】
また、特許文献２には、上記の電気的なクロストークおよび光学的なクロストークを解消するためのクロストーク解消回路が開示されている。このクロストーク解消回路では、補正対象の絵素の表示信号と、補正対象の絵素に影響を与えてクロストークを生じさせる隣接絵素の表示信号との各組合せと、補正値データとを対応付けたＬＵＴを使用し、該ＬＵＴデータから得られた補正値データをもとに入力された表示信号を補正することでクロストークの解消を図っている。【００１２】
図１８には、特許文献２に記載の方法で電気的なクロストークを解消する例を示す。この図に示すように、目的とする階調値を表現するために必要な輝度が、（Ｒ，Ｇ，Ｂ）＝（１００，１００，３０）である場合、液晶パネル（ＬＣＤ）のＧの絵素の透過率が上昇するように、ＬＣＤの開口率を（Ｒ，Ｇ，Ｂ）＝（１００，１００，３０）から（Ｒ，Ｇ，Ｂ）＝（１００，１１５，３０）に変換する処理を行う。
【先行技術文献】
【特許文献】
【００１３】
【特許文献１】日本国公開特許公報「特開２０００−３３３１９４号公報（２０００年１１月３０日公開）」
【特許文献２】日本国公開特許公報「特開２００６−２３７１０号公報（２００６年１月２６日公開）」
【特許文献３】日本国公開特許公報「特開２００４−２１２５０３号公報（２００４年７月２９日公開）」
【発明の概要】
【発明が解決しようとする課題】
【００１４】
しかしながら、特許文献１の方法は、各色のカラーフィルタ特性によって起こりうる光学的なクロストークを予測してデータの補正を行うというものであり、光学的なクロストークそのものの発生を抑えたり、減少させたりするものではない。そのため、温度などの予測外の要因によるカラーフィルタ特性の変化によって発生する光学的なクロストークに対して適切な補正を行うことが困難である。また、特許文献１の方法では、多くの回路を追加しなければならないため、コストが増加してしまうという問題もある。【００１５】
また、特許文献２の方法は、隣接絵素間の階調差に基づいて発生し得るクロストークの量を予測して作成されたＬＵＴを用いてデータの補正を行うというものであり、電気的なクロストークおよび光学的なクロストークそのものの発生を抑えたり、減少させたりするものではない。そのため、温度などの予測外の要因による階調差特性の変化によって発生するクロストークに対して適切な補正を行うことが困難である。また、特許文献２の方法では、各階調値の組み合わせについて補正データを対応付けたＬＵＴが必要となるため、コストが増加してしまうという問題もある。【００１６】
本発明は、上記の問題点に鑑みてなされたものであり、バックライトの輝度制御を行うことによって、光学的なクロストークあるいは電気的なクロストークをより効果的に減少させることを目的とする。
【課題を解決するための手段】
【００１７】
本発明にかかる液晶表示装置は、上記の課題を解決するために、画素がマトリクス状に配列された液晶パネルと該液晶パネルに対して光を照射するバックライトとを備えた液晶表示装置であって、上記画素は、互いに色の異なる複数の絵素で構成されており、各絵素は、当該絵素の色に対応したカラーフィルタを有しているとともに、上記絵素が有する上記カラーフィルタから透過される当該絵素の色とは異なる色の波長の光を減少させるために、入力された画像データにおける絵素の開口率を低下させて出力する開口率変換部と、上記開口率変換部によって低下する上記開口率を補うために、上記開口率を低下させないときと比較して、バックライトの輝度を高めるバックライト輝度制御部と、を備え、上記バックライト輝度制御部によって決定されたバックライトの輝度と、上記開口率変換部によって開口率の変換処理が行われた上記液晶パネルの各絵素の開口率とによって、目的とする階調表示を行うことを特徴としている。【００１８】
本発明の液晶表示装置は、画素がマトリクス状に配列された液晶パネルと、それに対して光を照射するバックライトとを備えている。各画素には、互いに色の異なる複数の絵素が含まれている。つまり、一画素は、複数色の絵素で構成されている。このように、各絵素は、画素の一部を構成していることから副画素（サブピクセル）とも呼ばれる。【００１９】
そして、本発明の液晶表示装置には、上記絵素が有する上記カラーフィルタから透過される当該絵素の色とは異なる色の波長の光を減少させるために、入力された画像データにおける絵素の開口率を低下させて出力する開口率変換部が設けられている。この開口率変換部によって、入力された画像データの開口率が、該入力値よりも低い値となって出力される。これにより、例えば、緑色のカラーフィルタから青色波長域の光が漏れることによって生じる光学的なクロストークの発生量を低減させることができる。【００２０】
さらに、本発明の液晶表示装置には、上記のような開口率の変換処理によって生じる各絵素の表示階調の変化を補うために、バックライトの輝度を高めるバックライト輝度制御部が設けられている。そして、バックライト輝度制御部によって決定されたバックライトの輝度と、開口率変換部によって開口率の変換処理が行われた液晶パネルの各絵素の開口率とによって、目的とする階調表示を行っている。【００２１】
つまり、本発明の液晶表示装置においては、開口率変換部が液晶パネルに送信される画像データに対して処理を行って光学的なクロストークの発生量を減少させているとともに、この開口率の変換処理によって起こる画像データの目的階調からのずれを、バックライトの輝度を変更することによって補っている。【００２２】
上記の構成によれば、光学的なクロストークそのものの発生を抑えたり、発生量を減少させたりすることができる。そのため、従来の液晶パネル側の駆動回路のみによる光学的クロストーク解消法と比較して、クロストークの発生をより効果的に減少させることができる。したがって、光学的クロストークに起因した表示品位の低下を抑えることができる。また、本発明は、従来の光学的なクロストークの解消法と比較してより簡単な回路構成で実現することができる。【００２３】
また、本発明にかかる液晶表示装置は、上記の課題を解決するために、画素がマトリクス状に配列された液晶パネルと該液晶パネルに対して光を照射するバックライトとを備えた液晶表示装置であって、上記画素は、互いに色の異なる複数の絵素で構成されており、各絵素は、当該絵素の色に対応したカラーフィルタを有しているとともに、上記バックライトは、複数色の上記絵素に対応した色の光源をそれぞれ有しており、一画素内に含まれる各絵素間の階調差が小さくなるように、入力された画像データにおける各絵素の開口率を変換して出力する開口率変換部と、上記開口率変換部によって小さくなった上記各絵素間の階調差を補正するために、上記開口率変換部によって開口率が低下する絵素の色と同じ色の光源の輝度を、上記開口率変換部によって開口率が変化しない絵素の色と同じ色の光源の輝度よりも高くし、上記開口率変換部によって開口率が上昇する絵素の色と同じ色の光源の輝度を、上記開口率変換部によって開口率が変化しない絵素の色と同じ色の光源の輝度よりも低くする、バックライト輝度制御部と、を備え、上記バックライト輝度制御部によって決定されたバックライトの輝度と、上記開口率変換部によって開口率の変換処理が行われた上記液晶パネルの各絵素の開口率とによって、目的とする階調表示を行うことを特徴としている。【００２４】
本発明の液晶表示装置は、画素がマトリクス状に配列された液晶パネルと、それに対して光を照射するバックライトとを備えている。各画素には、互いに色の異なる複数の絵素が含まれている。つまり、一画素は、複数色の絵素で構成されている。このように、各絵素は、画素の一部を構成していることから副画素（サブピクセル）とも呼ばれる。また、バックライトは、絵素が有している各色に対応した色の光源をそれぞれ有している。【００２５】
そして、本発明の液晶表示装置には、一画素内に含まれる各絵素間の階調差が小さくなるように、入力された画像データにおける各絵素の開口率を変換して出力する開口率変換部が設けられている。この開口率変換部によって、入力された画像データ中の隣接絵素間の開口率の差（すなわち、開口率の差によって生じる階調差）を、入力された時よりも小さくして出力することができる。これにより、一画素を構成している各色の絵素間に大きな階調差があることによって生じる電気的なクロストークの発生量を低減させることができる。【００２６】
さらに、本発明の液晶表示装置には、上記のような開口率の変換処理によって生じる各絵素の表示階調の変化を補うためのバックライト輝度制御部が設けられている。このバックライト輝度制御部は、開口率変換部によって開口率を低下させる処理を行った絵素の色と同じ色の光源の輝度を、開口率変換部によって開口率が変化しない絵素の色と同じ色の光源の輝度よりも高くし、開口率変換部によって開口率を上昇させる処理を行った絵素の色と同じ色の光源の輝度を、開口率変換部によって開口率が変化しない絵素の色と同じ色の光源の輝度よりも低くする、という制御を行っている。そして、バックライト輝度制御部によって決定されたバックライトの輝度と、開口率変換部によって開口率の変換処理が行われた液晶パネルの各絵素の開口率とによって、目的とする階調表示を行っている。【００２７】
つまり、本発明の液晶表示装置においては、開口率変換部が液晶パネルに送信される画像データに対して処理を行って電気的なクロストークの発生量を減少させているとともに、この開口率変換処理によって起こる画像データの目的階調からのずれを、バックライトの輝度を変更することによって補っている。【００２８】
上記の構成によれば、電気的なクロストークそのものの発生を抑えたり、発生量を減少させたりすることができる。そのため、従来の液晶パネル側の駆動回路のみによる電気的クロストーク解消法と比較して、クロストークの発生をより効果的に減少させることができる。したがって、電気的クロストークに起因した表示品位の低下を抑えることができる。また、本発明は、従来の電気的なクロストークの解消法と比較してより簡単な回路構成で実現することができる。【００２９】
また、本発明にかかる液晶表示装置の表示制御方法は、上記の課題を解決するために、画素がマトリクス状に配列された液晶パネルと該液晶パネルに対して光を照射するバックライトとを備え、上記画素は、互いに色の異なる複数の絵素で構成されており、各絵素は、当該絵素の色に対応したカラーフィルタを有している液晶表示装置の表示制御方法であって、上記絵素が有する上記カラーフィルタから透過される当該絵素の色とは異なる色の波長の光を減少させるために、入力された画像データにおける絵素の開口率を低下させて出力する開口率変換工程と、上記開口率変換工程によって低下する上記開口率を補うために、上記開口率を低下させないときと比較して、バックライトの輝度を高めるバックライト輝度制御工程と、を行い、上記バックライト輝度制御工程によって決定されたバックライトの輝度と、上記開口率変換工程によって開口率の変換処理が行われた上記液晶パネルの各絵素の開口率とによって、目的とする階調表示を行うことを特徴とする。【００３０】
上記の方法では、光学的なクロストークの補正を行うために、画像データにおける絵素の開口率を変換するだけでなく、バックライトの輝度制御も利用している。つまり、光学的なクロストークを減少させるために行った開口率の変換によって目的階調からずれた画像表示を、バックライトの輝度で補うことによって、目的とする階調表示を行っている。【００３１】
これにより、光学的なクロストークそのものの発生量を減少させることができる。そのため、予測外の原因により発生する光学的なクロストークの発生も減少させることができ、表示品位を向上させることができる。また、従来の光学的なクロストーク解消方法と比べて、簡単な回路構成で実現することができる。【００３２】
また、本発明にかかる液晶表示装置の表示制御方法は、上記の課題を解決するために、画素がマトリクス状に配列された液晶パネルと該液晶パネルに対して光を照射するバックライトとを備え、上記画素は、互いに色の異なる複数の絵素で構成されており、各絵素は、当該絵素の色に対応したカラーフィルタを有しているとともに、上記バックライトは、複数色の上記絵素に対応した色の光源をそれぞれ有している液晶表示装置の表示制御方法であって、一画素内に含まれる各絵素間の階調差が小さくなるように、入力された画像データにおける各絵素の開口率を変換して出力する開口率変換工程と、上記開口率変換工程によって小さくなった上記各絵素間の階調差を補正するために、上記開口率変換工程によって開口率が低下する絵素の色と同じ色の光源の輝度を、上記開口率変換工程によって開口率が変化しない絵素の色と同じ色の光源の輝度よりも高くし、上記開口率変換工程によって開口率が上昇する絵素の色と同じ色の光源の輝度を、上記開口率変換工程によって開口率が変化しない絵素の色と同じ色の光源の輝度よりも低くする、バックライト輝度制御工程と、を行い、上記バックライト輝度制御工程によって決定されたバックライトの輝度と、上記開口率変換工程によって開口率の変換処理が行われた上記液晶パネルの各絵素の開口率とによって、目的とする階調表示を行うことを特徴としている。【００３３】
上記の方法では、電気的なクロストークの補正を行うために、画像データにおける絵素の開口率を変換するだけでなく、バックライトの輝度制御も利用している。つまり、電気的なクロストークを減少させるために行った開口率の変換によって目的階調からずれた画像表示を、バックライトの輝度で補うことによって、目的とする階調表示を行っている。【００３４】
これにより、電気的なクロストークそのものの発生量を減少させることができる。そのため、予測外の原因により発生する電気的なクロストークの発生も減少させることができ、表示品位を向上させることができる。また、従来の電気的なクロストーク解消方法と比べて、簡単な回路構成で実現することができる。
【発明の効果】
【００３５】
本発明によれば、光学的なクロストークそのものの発生を抑えたり、発生量を減少させたりすることができる。そのため、従来の液晶パネル側の駆動回路のみによる光学的クロストーク解消法と比較して、クロストークの発生をより効果的に減少させることができる。したがって、光学的クロストークに起因した表示品位の低下を抑えることができる。【００３６】
また、本発明によれば、電気的なクロストークそのものの発生を抑えたり、発生量を減少させたりすることができる。そのため、従来の液晶パネル側の駆動回路のみによる電気的クロストーク解消法と比較して、クロストークの発生をより効果的に減少させることができる。したがって、電気的クロストークに起因した表示品位の低下を抑えることができる。
【図面の簡単な説明】
【００３７】
【図１】本発明の第１の実施形態において、図２に示す液晶表示装置の動作を制御するための構成を示すブロック図である。
【図２】本発明の第１、第３、および第４の実施の形態にかかる液晶表示装置の構成を示す断面図である。
【図３】図１に示す液晶表示装置において行われる画像データおよびバックライトデータの変換例を示す模式図である。
【図４】（ａ）には、画像データの階調値を表現するために必要な輝度が（Ｒ，Ｇ，Ｂ）＝（１００，１００，３０）の場合の表現色を示す。（ｂ）には、（ａ）の表現色を有する画像データに対して、図３に示すクロストーク補正が行われた場合の再現色を示す。（ｃ）には、（ａ）の表現色を有する画像データに対して、光学的なクロストーク補正が行われない場合の再現色を示す。
【図５】エリアアクティブ駆動式のバックライトを備えた液晶表示装置の構成を示す模式図である。
【図６】本発明の第２の実施の形態にかかる液晶表示装置の構成を示す断面図である。
【図７】図６に示す液晶表示装置の動作を制御するための構成を示すブロック図である。
【図８】図７に示す液晶表示装置において行われる画像データおよびバックライトデータの変換例を示す模式図である。
【図９】（ａ）には、画像データの階調値を表現するために必要な輝度が（Ｒ，Ｇ，Ｂ）＝（１００，１００，３０）の場合の表現色を示す。（ｂ）には、（ａ）の表現色を有する画像データに対して、図７に示すクロストーク補正が行われた場合の再現色を示す。（ｃ）には、（ａ）の表現色を有する画像データに対して、光学的なクロストーク補正が行われない場合の再現色を示す。
【図１０】本発明の第３の実施形態において、図２に示す液晶表示装置の動作を制御するための構成を示すブロック図である。
【図１１】図１０に示す液晶表示装置において行われる画像データおよびバックライトデータの変換例を示す模式図である。
【図１２】（ａ）には、画像データの階調値を表現するために必要な輝度が（Ｒ，Ｇ，Ｂ）＝（１００，１００，３０）の場合の表現色を示す。（ｂ）には、（ａ）の表現色を有する画像データに対して、図１１に示すクロストーク補正が行われた場合の再現色を示す。（ｃ）には、（ａ）の表現色を有する画像データに対して、電気的なクロストーク補正が行われない場合の再現色を示す。
【図１３】本発明の第４の実施形態において、図２に示す液晶表示装置の動作を制御するための構成を示すブロック図である。
【図１４】ＲＧＢ各色のカラーフィルタの透過率特性を示すグラフである。
【図１５】光学的なクロストークの一例を示す模式図である。
【図１６】電気的なクロストークの一例を示す模式図である。
【図１７】従来技術における光学的なクロストークの解消方法の一例を示す模式図である。
【図１８】従来技術における電気的なクロストークの解消方法の一例を示す模式図である。
【発明を実施するための形態】
【００３８】
〔実施の形態１〕
本発明の一実施形態について図１〜図５に基づいて説明すると以下の通りである。なお、本発明はこれに限定されるものではない。
【００３９】
本実施の形態では、液晶パネルとこれに対して光を照射するバックライトとを備え、入力された映像信号（画像データ）の階調値に基づいて、バックライトの輝度および各絵素の開口率を決定し、目的とする階調表示を行う液晶表示装置について説明する。
【００４０】
図２には、本実施の形態にかかる液晶表示装置の断面構成を示す。図２に示すように、本実施の形態の液晶表示装置１００は、液晶パネル３と、液晶パネル３の背面に配置されたバックライト２とを備えている。
【００４１】
バックライト２は、液晶パネル３へ向かって光を照射するようになっている。本実施の形態のバックライト２には、赤色（Ｒ）の光源として赤色ＬＥＤ３２ｒが、緑色（Ｇ）の光源として緑色ＬＥＤ３２ｇが、青色（Ｂ）の光源として青色ＬＥＤ３２ｂが、それぞれ複数個設けられている。
【００４２】
液晶パネル３は、アクティブマトリクス基板１１と対向基板１４との間に液晶層１３を備えた構成となっている。
【００４３】
図示はしていないが、アクティブマトリクス基板１１上には、複数の走査信号線と複数のデータ信号線とが、互いに交差するように配置されている。各走査信号線と各データ信号線との各交差部の近傍には、スイッチング素子であるＴＦＴが形成されている。各走査信号線と各データ信号線とが交差して形成された各格子の中には、絵素電極１２が形成されており、一つの絵素電極１２で一絵素が構成されている。
【００４４】
また、対向基板１４には、カラーフィルタ層２２、および、図示はしていないが対向電極及び配向膜などが形成されている。カラーフィルタ層２２は、赤（Ｒ）、緑（Ｇ）、青（Ｂ）のそれぞれの色を有するカラーフィルタ部２２ｒ、２２ｇ、２２ｂと、ブラックマトリクス２２ｋとから構成されている。
【００４５】
このように、本実施の形態の液晶パネル３には、赤（Ｒ）、緑（Ｇ）、青（Ｂ）という３色のカラーフィルタ部が設けられていることによって、これら３色の画像データによるカラー画像表示を行うことができる。つまり、赤色のカラーフィルタ部２２ｒと対応する絵素電極１２は、赤色の絵素１２ｒとなり、緑色のカラーフィルタ部２２ｇと対応する絵素電極１２は、緑色の絵素１２ｇとなり、青色のカラーフィルタ部２２ｂと対応する絵素電極１２は、青色の絵素１２ｂとなる。
【００４６】
そして、赤色の絵素１２ｒ、緑色の絵素１２ｇ、および、青色の絵素１２ｂという３つの絵素で１つの画素３１が構成されている。このことから、各絵素１２（１２ｒ・１２ｇ・１２ｂ）は、副画素とも呼ばれる。
【００４７】
続いて、液晶パネル３およびバックライト２の動作を制御するための構成について、図１を参照しながら説明する。
【００４８】
図１に示すように、液晶表示装置１００には、映像信号入力部１０１、ＲＧＢ信号処理部１０２、ＬＣＤデータ処理部１０３、バックライトデータ処理部１０４、クロストーク補正部１０５、バックライト制御部１０６（バックライト輝度制御部）、ドライバ制御部１０７、ゲートドライバ１３１、および、ソースドライバ１３２などが設けられている。なお、各部および各ドライバは、回路によって実現される。
【００４９】
映像信号入力部１０１は、ＴＶ受信機、ＶＴＲ、ＤＶＤなどから送信された映像信号を受信し、ＲＧＢ信号処理部１０２へ送信する。
【００５０】
ＲＧＢ信号処理部１０２は、送信された映像信号に基づいて、各絵素に送信する画像データを生成する。ここでは、ＲＧＢ各色の絵素に送信するための画像データとして、Ｒ画像データ、Ｇ画像データ、Ｂ画像データをそれぞれ生成する。ここで生成された画像データは、ＬＣＤデータ処理部１０３およびバックライトデータ処理部１０４へ送信される。
【００５１】
ＬＣＤデータ処理部１０３は、送信された画像データに基づいて、液晶パネルに目的とする画像表示を行うためのデータ処理を行う。
【００５２】
バックライトデータ処理部１０４は、ＲＧＢ信号処理部１０２から送信された画像データに基づいて、バックライトの出力値を決定する処理を行う。バックライトの出力値の決定方法としては、例えば、入力された画像データの最大階調値（領域毎にバックライトの輝度制御を行う場合は、各領域毎の最大階調値）、平均階調値を算出し、得られた最大階調値および平均階調値をもとに、バックライトの出力値を決定するという方法が挙げられる。
【００５３】
クロストーク補正部１０５は、液晶パネル３に設けられたカラーフィルタの特性と、各絵素の開口率（透過率）との関係によって生じる光学的なクロストークを減少させるために、液晶パネル３に送信される各絵素の開口率のデータを変換する開口率変換部１２１と、バックライトデータを変換するバックライトデータ変換部１２２（バックライト輝度制御部）とを備えている。
【００５４】
開口率変換部１２１は、ＬＣＤデータ処理部１０３から送信されたＲＧＢ各色の画像データのうち、緑色の絵素の画像データについて開口率を低下させて出力する処理を行う。他の色の絵素の画像データについては、開口率の変換は行わない。これは、本実施の形態の液晶パネル３の画素３１が、図１４に示すカラーフィルタ特性を有する各色のカラーフィルタを備えた各絵素１２で構成されているためである。
【００５５】
したがって、本発明の開口率変換部において行われる変換処理は、上記のようなものに限定はされない。開口率変換部では、各絵素に設けられているカラーフィルタの特性に合わせて、絵素上に設けられたカラーフィルタから当該絵素の色とは異なる色の光がより多く透過されるカラーフィルタを有する絵素の画像データについて、開口率を低下させる処理を行えばよい。
【００５６】
バックライトデータ変換部１２２は、上記の開口率変換部１２１において、緑色の画像データの開口率を低下させる処理が行われるため、緑色の画像の輝度を補うために、他の色の光源と比較して緑色ＬＥＤ３２ｇの輝度を高めるように、バックライトデータの変換処理を行う。
【００５７】
なお、本発明のバックライトデータ変換部（バックライト輝度制御部）において行われる輝度の変換処理は、上記のようなものに限定はされない。バックライト輝度制御部では、開口率変換部で開口率の低下処理が行われる絵素の色と同じ色の光源について、他の色の光源の輝度と比較して、輝度をより高める処理を行えばよい。
【００５８】
バックライト制御部１０６は、バックライトデータ処理部１０４から送信されるバックライトデータに基づいて、ＲＧＢ各色の光源の輝度制御を行う。なお、バックライト制御部１０６に送信されるバックライトデータは、クロストーク補正部内のバックライトデータ変換部１２２によって変換されたデータ内容を反映させたものである。
【００５９】
ドライバ制御部１０７は、ＬＣＤデータ処理部１０３およびクロストーク補正部１０５内の開口率変換部１２１から送信されたデータに基づいて、ゲートドライバ１３１およびソースドライバ１３２を制御する。
【００６０】
ゲートドライバ１３１は、液晶パネル３内の走査信号線に接続されており、各走査信号線に走査信号を供給している。
【００６１】
ソースドライバ１３２は、液晶パネル３内のデータ信号線に接続されており、各データ信号線に、データ信号を供給している。なお、上記の開口率変換部１２１によって変換された開口率のデータは、ソースドライバ１３２およびデータ信号線を介して各絵素１２へ送られる。各絵素１２では、送信された開口率のデータに基づき表示が行われる。
【００６２】
続いて、本実施の形態の液晶表示装置１００において画像表示を行うときの表示制御方法の一例について以下に説明する。
【００６３】
なお、以下の説明では、液晶パネル３内の任意の画素３１を構成する各絵素１２ｒ・１２ｇ・１２ｂに対応する画像データの階調値を表現するために必要な輝度が、例えば、それぞれ１００、１００、３０である場合、これらをまとめて（Ｒ，Ｇ，Ｂ）＝（１００，１００，３０）と表現する。また、ＲＧＢ各色の光源に対応するバックライトデータの輝度については、例えば、それぞれの輝度が１００、１００、３０である場合、これらをまとめて（Ｒ，Ｇ，Ｂ）＝（１００，１００，３０）と表現する。このように、各絵素の明るさ（輝度）は、絵素の開口率で表現することができ、本実施の形態では０〜１００の数値で表現される。
【００６４】
つまり、本明細書では、ＬＣＤの各絵素において目的とする階調を表現するための輝度を、開口率として数値化して示している。また、バックライトについては、各色の輝度を数値化して示している。また、以下の明細書中の記載において、数値化して示す表現色は、目的とする階調値を表現するために必要な輝度のことを意味する。以上より、数値化して示される表現色および絵素の開口率は、どちらも各輝度に比例する値となり、数値化して示されるバックライトの輝度は、輝度そのものの値となる。また、数値化して示す表現色は、絵素の開口率とバックライトの輝度との掛け算に比例した値となり、例えば、表現色が１００の場合、絵素の開口率が１００であればバックライトの輝度が１００となり、絵素の開口率が５０であればバックライトの輝度が２００となる。
【００６５】
図３には、液晶パネル３内の任意の画素３１を構成する各絵素１２ｒ・１２ｇ・１２ｂにおける画像データおよびバックライトデータの変換例を示す。図３には、バックライトの緑色ＬＥＤ３２ｇの輝度を２倍にし、液晶パネル（ＬＣＤ）のＧ絵素１２ｇの開口率を半分にする場合の例を示している。但し、この補正量は一例であり、本発明はこれに限定はされない。例えば、バックライトの光源の輝度をｎ倍にした場合には、光源の色と同じ色の絵素の開口率を１／ｎ倍にすればよい。ここで、ｎは１より大きい数値である。
【００６６】
図３の（ａ）には、クロストーク補正前の液晶パネル（ＬＣＤ）３内の任意の画素３１を構成する各絵素１２ｒ・１２ｇ・１２ｂの開口率の一例を示す。これらの画像データは、ＲＧＢ信号処理部１０２から送信されたデータに基づいてＬＣＤデータ処理部１０３が生成したものである。また、図３の（ａ）には、バックライトのＲＧＢ各光源の輝度データを示す。この輝度データは、ＲＧＢ信号処理部１０２から送信されたデータに基づいてバックライトデータ処理部１０４が生成したものである。なお、ここでの各絵素の画像データの開口率およびバックライトの輝度の組み合わせによって表現される画素の色を、表現色と呼ぶ。
【００６７】
図３の（ｂ）には、（ａ）に対応する画像データが、クロストーク補正部１０５内の開口率変換部１２１およびバックライトデータ変換部１２２によって変換された後の画像データおよびバックライトデータを示す。
【００６８】
この図に示すように、ＬＣＤの開口率は、開口率変換部１２１による処理によって、（１００，１００，３０）から（１００，５０，３０）に変換される。一方、バックライトの輝度は、バックライトデータ変換部１２２による処理によって、（１００，１００，１００）から（１００，２００，１００）に変換される。
【００６９】
その後、開口率変換部１２１によって変換されたＬＣＤの開口率のデータは、ＬＣＤデータ処理部１０３で生成された画像データとともにドライバ制御部１０７へ送られる。ドライバ制御部１０７では、送信された画像データに基づきゲートドライバ１３１およびソースドライバ１３２へ送信される各種信号が生成される。
【００７０】
また、バックライトデータ変換部１２２によって変換された輝度データは、バックライトデータ処理部１０４へ返信される。バックライトデータ処理部１０４は、送信された輝度データに基づいてデータ処理を行い、バックライト２を駆動するためのバックライト制御部１０６へ処理された輝度データを送信する。
【００７１】
図３の（ｃ）には、クロストーク補正部１０５によってクロストークの補正が行われた後の各絵素の画像データとバックライトの輝度とを組み合わせることによって得られる全体の輝度を示す。なお、クロストーク補正後の各絵素の開口率およびバックライトの輝度の組み合わせによって表現される画素の色を、再現色と呼ぶ。理想的なデータ変換処理が行われた場合、再現色は、表現色と同じ色となる。
【００７２】
図４には、図３に示すデータ変換処理が行われたときの表現色および再現色の例を示す。図４の（ａ）は、（Ｒ，Ｇ，Ｂ）＝（１００，１００，３０）の表現色を示す。また、図４の（ｂ）は、図３に示すデータ変換処理が行われた場合の再現色を示す。なお、図４の（ｃ）には、比較のためにデータ変換処理が行われず光学的なクロストークが発生した場合の再現色を示す。
【００７３】
図４（ｃ）に示すように、データ変換処理を行わないと、光学的なクロストークの発生により、表現色とは異なる色になってしまう（色ずれが発生する）。これ対して、図４（ｂ）に示すように、本実施の形態のデータ変換処理を行うと、表現色とほぼ同じ色を再現することができる。
【００７４】
なお、図４は白黒の画像で表現されているため、色度の違いを確認することは困難であるが、データ変換処理が行われていない図４の（ｃ）では、図４（ａ）の表現色と比較して、青みが増して全体的に灰色がかった再現色となっており、図４の（ａ）とは肉眼で見て明らかに異なる色となっている。これに対して、データ変換処理を行った図４の（ｂ）では、上記のような青みの増加は抑えられており、肉眼で見て図４の（ａ）の表現色とほぼ同様の色合いを有する再現色となっている。
【００７５】
なお、図４の（ａ）〜（ｃ）に示す各色をＲＧＢの階調値で数値化して表すと、（ａ）の色は、（Ｒ，Ｇ，Ｂ）＝（１００，１００，３０）であり、（ｂ）の色は、（Ｒ，Ｇ，Ｂ）＝（１００，１００，３０）であり、（ｃ）の色は、（Ｒ，Ｇ，Ｂ）＝（１００，１００，４５）である。
【００７６】
本実施の形態の液晶表示装置１００では、上記のような表示制御を行うことによって、緑色の絵素１２ｇの開口率を全体的に下げるような開口率の変換処理が行われるため、緑色のカラーフィルタ部２２ｇから透過される青色の波長の光を減少させることができる。また、この開口率の変換処理によって透過率が低下した緑色光については、バックライトデータ変換部１２２によって変換されたバックライトデータに基づいて、緑色ＬＥＤ３２ｇの輝度を高めることによって補うことができる。これにより、光学的なクロストークそのものの発生を抑えたり、減少させたりすることができる。
【００７７】
（実施の形態１の変形例）
上記した液晶表示装置１００のバックライト２は、ＲＧＢ各色の光源の輝度をそれぞれ個別に制御可能にしているが、バックライト２の発光面全体について一様な輝度で照射を行うものである。しかし、本発明は、バックライトの発光面を複数の分割発光領域に分け、それぞれの領域の輝度を個別に制御することができるエリアアクティブ駆動式のバックライトを備えた液晶表示装置にも適用することができる。
【００７８】
以下に、このようなエリアアクティブ駆動式のエリアアクティブ駆動式のバックライトを備えた液晶表示装置の構成と、表示制御方法について説明する。なお、液晶表示装置１００と同じ構成および表示制御が適用できる部分については、ここでは説明を省略する。
【００７９】
図５には、エリアアクティブ駆動式のバックライト２０２を備えた液晶表示装置２００を示す。この図に示すように、バックライト２０２においては、その発光面が３行３列の領域Ｄに分割される。また、液晶パネル２０３は、バックライト２０２の分割発光領域Ｄに対応するマトリクス状の３行３列の分割表示領域Ｒに仮想的に分割することができる。なお、各分割発光領域Ｄには、光源として、ＲＧＢ各色のＬＥＤ３２ｒ・３２ｇ・３２ｂが、複数個ずつ設けられている。また、分割表示領域Ｒには、複数個の画素３１，３１，…が含まれている。
【００８０】
次に、液晶表示装置２００において、エリアアクティブ駆動を行う方法について説明する。なお、液晶表示装置２００の動作を制御するための構成は、図１に示す構成と同様の構成を適用することができるため、ここでは図１を参照しながら説明する。
【００８１】
先ず、実施の形態１と同様に、ＲＧＢ信号処理部１０２において、送信された映像信号に基づいて各絵素の画像データが生成され、バックライトデータ処理部１０４へ送信される。バックライトデータ処理部１０４では、送信された画像データから、液晶パネル２０３の分割表示領域ＲごとにＲＧＢ全絵素の最大階調を（各色とは無関係に）検出し、検出された最大階調を基に対応する分割発光領域Ｄのバックライトデータを決める。
【００８２】
ここで決められた各領域Ｄのバックライトデータは、ＲＧＢ信号処理部１０２を介してＬＣＤデータ処理部１０３へ送信される。ＬＣＤデータ処理部１０３では、送信された各絵素の画像データとバックライトデータとに基づいて各絵素のデータを変換する。
【００８３】
ここで、画像表示面を、２つの分割発光領域Ｄ１、Ｄ２、および、これに対応する２つの分割表示領域Ｒ１、Ｒ２に分割する場合の具体例について説明する。
【００８４】
例えば、Ｒ１におけるＲＧＢ各絵素の最大階調が１００、Ｒ２におけるＲＧＢ各絵素の最大階調が２００とすると、バックライトデータ処理部１０４では、領域Ｄ１のＲＧＢ各色光源の輝度データを、（Ｒ，Ｇ，Ｂ）＝（１００，１００，１００）とし、領域Ｄ２のＲＧＢ各色光源の輝度データを、（Ｒ，Ｇ，Ｂ）＝（２００，２００，２００）とする。
【００８５】
そして、ＬＣＤデータ処理部１０３では、領域Ｄ１に対応する領域Ｒ１の任意の画素の入力画像データが（Ｒ，Ｇ，Ｂ）＝（１００，１００，３０）である場合、上記のバックライトデータ処理を反映させて、出力画像データを（Ｒ，Ｇ，Ｂ）＝（１００，１００，３０）とする。また、領域Ｄ２に対応する領域Ｒ２の任意の画素の入力画像データが（Ｒ，Ｇ，Ｂ）＝（１００，１００，５０）である場合、上記のバックライトデータ処理を反映させて、出力画像データを（Ｒ，Ｇ，Ｂ）＝（５０，５０，２５）とする。
【００８６】
なお、ＬＣＤデータ処理部１０３における上記のデータ変換処理は、例えば、ＲＧＢ各色ごとに、以下の（式１）によって実行することができる。
【００８７】
出力画像データの階調値を表現するために必要な輝度（開口率）＝
〔入力画像データの階調値を表現するために必要な輝度（開口率）〕
÷（輝度データ）×１００      （式１）
上記の方法によれば、画像表示面を複数の領域に分割し、領域ごとにバックライトの輝度および液晶パネルの画像データを個別に制御するというエリアアクティブ駆動を実現することができる。
【００８８】
但し、本発明におけるエリアアクティブ駆動の方法については、上記した方法に限定されることはなく、例えば特許文献３に開示されている方法などの公知の方法を適用することができる。
【００８９】
以上のような処理を行うことによって、分割された領域ごとに画像データおよび輝度データの変換処理を行った後、各データは、クロストーク補正部１０５に送信される。クロストーク補正部１０５における開口率および輝度データの変換は、上記した液晶表示装置１００でのデータ変換処理と同様に行うことができるため、その説明を省略する。
【００９０】
なお、データ変換処理の別の方法として、領域毎の最大階調値、最大開口率、平均階調値、平均開口率などを用いて、領域毎に開口率の変換割合を変えるという方法も可能である。その一例として、例えば、領域毎にＧ絵素の最大開口率を算出し、得られたＧの最大開口率が８０以上の場合にはＧのＬＥＤの輝度を２倍、Ｇの絵素の開口率を１／２にし、得られたＧの最大開口率が８０未満の場合にはＧのＬＥＤの輝度およびＧの絵素の開口率を変更しない、といった制御を行うことができる。
【００９１】
〔実施の形態２〕
上記の実施の形態１では、ＲＧＢ各色の光源を有するバックライトを備えている液晶表示装置を例に挙げて説明した。しかしながら、本発明は必ずしもこのような構成に限定はされない。以下に示す実施の形態２では、白色ＬＥＤのみを有するバックライトを備えた液晶表示装置において、光学的なクロストークを減少させる方法について説明する。
【００９２】
図６には、本実施の形態にかかる液晶表示装置３００の断面構成を示す。図６に示すように、液晶表示装置３００は、液晶パネル３とバックライト３０２とを備えている。液晶パネル３については、実施の形態１の液晶パネル３と同じ構成であるため、ここではその説明を省略する。
【００９３】
バックライト３０２は、光源として白色ＬＥＤ３２ｗを複数個有しており、実施の形態１の液晶表示装置１００とはこの点が異なっている。白色ＬＥＤ３２ｗから照射される光には、ＲＧＢ各色に対応する波長の光が全て含まれている。なお、後述するように、白色ＬＥＤ３２ｗの照射輝度は、バックライト制御部などによって調節することが可能である。
【００９４】
続いて、液晶パネル３およびバックライト３０２の動作を制御するための構成について、図７を参照しながら説明する。ここに挙げる各構成のうち、上述した液晶表示装置１００と同じ機能を有する部材については、同じ部材番号を付し、その詳細な説明を省略する。
【００９５】
図７に示すように、液晶表示装置３００には、映像信号入力部１０１、ＲＧＢ信号処理部１０２、ＬＣＤデータ処理部１０３、バックライトデータ処理部１０４、クロストーク補正部１０５、バックライト制御部１０６（バックライト輝度制御部）、ドライバ制御部１０７、ゲートドライバ１３１、および、ソースドライバ１３２などが設けられている。なお、各部および各ドライバは、回路によって実現される。
【００９６】
図７に示される各部材のうち、クロストーク補正部１０５における補正方法、および、バックライト３０２の輝度制御方法が液晶表示装置１００とは異なっている。そこで、この点について以下に説明する。
【００９７】
クロストーク補正部１０５は、液晶パネル３に設けられたカラーフィルタの特性と、各絵素の開口率（透過率）との関係によって生じる光学的なクロストークを減少させるために、液晶パネル３に送信される各絵素の開口率のデータを変換する開口率変換部１２１と、バックライトデータを変換するバックライトデータ変換部１２２（バックライト輝度制御部）とを備えている。
【００９８】
開口率変換部１２１は、ＬＣＤデータ処理部１０３から送信されたＲＧＢ各色の画像データに対して、その開口率を一画像表示面の全画素に対して同じ割合で低下させる開口率変換処理を行う。なお、開口率を低下させる割合は特に限定はされないが、例えば、１／２に低下させる。この場合、入力画像データの階調値を表現するために必要な輝度（開口率）が１００であれば、出力画像データの階調値を表現するために必要な輝度（開口率）は５０となる。これにより、例えば、図１４に示すカラーフィルタ特性を有する各色のカラーフィルタを備えたＧの絵素１２ｇから透過される青色の光量を減少させることができる。
【００９９】
バックライトデータ変換部１２２は、上記の開口率変換部１２１において、各絵素の開口率を低下させる処理が行われるため、これに伴う表示画像の輝度低下を補うために、白色ＬＥＤ３２ｗの輝度を高めるように、バックライトデータの変換処理を行う。ここでのデータ変換処理は、開口率変換部１２１における開口率の低下量を相殺するように行われる。例えば、開口率変換部１２１において開口率を１／２に変換する場合には、バックライトデータ変換部１２２では、白色ＬＥＤ３２ｗの輝度を２倍にするデータ変換が行われる。
【０１００】
バックライト制御部１０６は、バックライトデータ処理部１０４から送信されるバックライトデータに基づいて、白色ＬＥＤ３２ｗの輝度制御を行う。なお、バックライト制御部１０６に送信されるバックライトデータは、クロストーク補正部内のバックライトデータ変換部１２２によって変換されたデータ内容を反映させたものである。
【０１０１】
これにより、バックライト輝度制御部によって決定されたバックライトの輝度と、開口率変換部によって開口率の変換処理が行われた上記液晶パネルの各絵素の開口率とによって、目的とする階調表示を行うことができる。
【０１０２】
図８には、液晶パネル３内の任意の画素３１を構成する各絵素１２ｒ・１２ｇ・１２ｂにおける画像データおよびバックライトデータの変換例を示す。図８には、バックライトの白色ＬＥＤ３２ｗの輝度を２倍にし、液晶パネル（ＬＣＤ）の各絵素１２（１２ｒ・１２ｇ・１２ｂ）の開口率を半分にする場合の例を示している。但し、この補正量は一例であり、本発明はこれに限定はされない。例えば、バックライトの光源の輝度をｎ倍にした場合には、光源の色と同じ色の絵素の開口率を１／ｎ倍にすればよい。ここで、ｎは１より大きい数値である。
【０１０３】
図８の（ａ）には、クロストーク補正前の液晶パネル（ＬＣＤ）３内の任意の画素３１を構成する各絵素１２ｒ・１２ｇ・１２ｂの開口率の一例を示す。これらの画像データは、ＲＧＢ信号処理部１０２から送信されたデータに基づいてＬＣＤデータ処理部１０３が生成したものである。また、図８の（ａ）には、バックライトの白色光源（ｗ）の輝度データを示す。この輝度データは、ＲＧＢ信号処理部１０２から送信されたデータに基づいてバックライトデータ処理部１０４が生成したものである。なお、ここでの各絵素の画像データの開口率およびバックライトの輝度の組み合わせによって表現される画素の色を、表現色と呼ぶ。
【０１０４】
図８の（ｂ）には、（ａ）に対応する画像データが、クロストーク補正部１０５内の開口率変換部１２１およびバックライトデータ変換部１２２によって変換された後の画像データおよびバックライトデータを示す。
【０１０５】
この図に示すように、ＬＣＤの開口率は、開口率変換部１２１による処理によって、（１００，１００，３０）から（５０，５０，１５）に変換される。一方、バックライトの輝度は、バックライトデータ変換部１２２による処理によって、（１００，１００，１００）から（２００，２００，２００）に変換される。
【０１０６】
その後、開口率変換部１２１によって変換されたＬＣＤの開口率のデータは、ＬＣＤデータ処理部１０３で生成された画像データとともにドライバ制御部１０７へ送られる。ドライバ制御部１０７では、送信された画像データに基づきゲートドライバ１３１およびソースドライバ１３２へ送信される各種信号が生成される。
【０１０７】
また、バックライトデータ変換部１２２によって変換された輝度データは、バックライトデータ処理部１０４へ返信される。バックライトデータ処理部１０４は、送信された輝度データに基づいてデータ処理を行い、バックライト３０２を駆動するためのバックライト制御部１０６へ処理された輝度データを送信する。
【０１０８】
図８の（ｃ）には、クロストーク補正部１０５によってクロストークの補正が行われた後の各絵素の画像データとバックライトの輝度とを組み合わせることによって得られる全体の輝度を示す。なお、クロストーク補正後の各絵素の画像データおよびバックライトによって表現される画素の色を、再現色と呼ぶ。理想的なデータ変換処理が行われた場合、再現色は、表現色と同じ色となる。
【０１０９】
図９には、図８に示すデータ変換処理が行われたときの表現色および再現色の例を示す。図９の（ａ）は、（Ｒ，Ｇ，Ｂ）＝（１００，１００，３０）の表現色を示す。また、図９の（ｂ）は、図８に示すデータ変換処理が行われた場合の再現色を示す。なお、図９の（ｃ）には、比較のためにデータ変換処理が行われず光学的なクロストークが発生した場合の再現色を示す。
【０１１０】
図９（ｃ）に示すように、データ変換処理を行わないと、光学的なクロストークの発生により、表現色とは異なる色になってしまう（色ずれが発生する）。これ対して、図９（ｂ）に示すように、本実施の形態のデータ変換処理を行うと、表現色とほぼ同じ色を再現することができる。
【０１１１】
なお、図９は白黒の画像で表現されているため、色度の違いを確認することは困難であるが、データ変換処理が行われていない図９の（ｃ）では、図９（ａ）の表現色と比較して、青みが増して全体的に灰色がかった再現色となっており、図９の（ａ）とは肉眼で見て明らかに異なる色となっている。これに対して、データ変換処理を行った図９の（ｂ）では、上記のような青みの増加は抑えられており、肉眼で見て図９の（ａ）の表現色とほぼ同様の色合いを有する再現色となっている。
【０１１２】
なお、図９の（ａ）〜（ｃ）に示す各色をＲＧＢの階調値で数値化して表すと、（ａ）の色は、（Ｒ，Ｇ，Ｂ）＝（１００，１００，３０）であり、（ｂ）の色は、（Ｒ，Ｇ，Ｂ）＝（１００，１００，３５）であり、（ｃ）の色は、（Ｒ，Ｇ，Ｂ）＝（１００，１００，４５）である。
【０１１３】
本実施の形態の液晶表示装置３００では、上記のような表示制御を行うことによって、ＲＧＢ各絵素１２ｒ・１２ｇ・１２ｂの開口率を全体的に下げるような開口率の変換処理が行われるため、各色の絵素に対応するカラーフィルタから透過される他の色の波長の光を減少させることができる。また、この開口率の変換処理によって低下した各画素の透過率については、バックライトデータ変換部１２２によって変換されたバックライトデータに基づいて、白色ＬＥＤ３２ｗの輝度を高めることによって補うことができる。これにより、光学的なクロストークそのものの発生を減少させることができる。
【０１１４】
但し、本実施の形態の表示制御では、白色ＬＥＤ３２ｗの輝度を高めることによって、白色光に含まれる青色波長の光の輝度も上昇することになるため、光学的なクロストークの低減効果は、緑色の光源の輝度のみを上昇させる実施の形態１の液晶表示装置と比較すると小さい。
【０１１５】
なお、本実施の形態では、白色ＬＥＤを光源として有するバックライトを例に挙げて説明したが、ここで説明した表示制御は、ＲＧＢ各色のＬＥＤを光源として有するバックライトにも適用することができる。この場合、ＲＧＢ各色の光源は、全て同じ割合で輝度制御される。
【０１１６】
〔実施の形態３〕
本発明の第３の実施形態について、図２、図１０〜図１２に基づいて説明すると以下の通りである。なお、本発明はこれに限定されるものではない。本実施の形態３では、電気的なクロストークを補正することのできる液晶表示装置について説明する。
【０１１７】
図２には、本実施の形態にかかる液晶表示装置の断面構成を示す。図２に示すように、本実施の形態の液晶表示装置４００は、液晶パネル３と、液晶パネル３の背面に配置されたバックライト２とを備えている。なお、この図を見ればわかるように、液晶表示装置４００に設けられた液晶パネル３およびバックライト２の構造は、実施の形態１にかかる液晶表示装置１００の構造と同じである。そのため、ここでは各部の具体的な説明については省略する。
【０１１８】
続いて、液晶パネル３およびバックライト２の動作を制御するための構成について、図１０を参照しながら説明する。
【０１１９】
図１０に示すように、液晶表示装置１００には、映像信号入力部１０１、ＲＧＢ信号処理部１０２、ＬＣＤデータ処理部１０３、バックライトデータ処理部１０４、クロストーク補正部１０５、バックライト制御部１０６（バックライト輝度制御部）、ドライバ制御部１０７、ゲートドライバ１３１、および、ソースドライバ１３２などが設けられている。なお、各部および各ドライバは、回路によって実現される。
【０１２０】
映像信号入力部１０１は、ＴＶ受信機、ＶＴＲ、ＤＶＤなどから送信された映像信号を受信し、ＲＧＢ信号処理部１０２へ送信する。
【０１２１】
ＲＧＢ信号処理部１０２は、送信された映像信号に基づいて、各絵素に送信する画像データを生成する。ここでは、ＲＧＢ各色の絵素に送信するための画像データとして、Ｒ画像データ、Ｇ画像データ、Ｂ画像データをそれぞれ生成する。ここで生成された画像データは、ＬＣＤデータ処理部１０３およびバックライトデータ処理部１０４へ送信される。
【０１２２】
ＬＣＤデータ処理部１０３は、送信された画像データに基づいて、液晶パネルに目的とする画像表示を行うためのデータ処理を行う。
【０１２３】
バックライトデータ処理部１０４は、ＲＧＢ信号処理部１０２から送信された画像データに基づいて、バックライトの出力値を決定する処理を行う。
【０１２４】
クロストーク補正部４０５は、画素を構成している隣接するＲＧＢ絵素間で階調差があることによって発生する電気的なクロストークを減少させるために、液晶パネル３に送信される画像データにおける絵素の開口率を変換する開口率変換部４２１と、バックライトデータを変換するバックライトデータ変換部４２２（バックライト輝度制御部）とを備えている。
【０１２５】
開口率変換部４２１は、ＬＣＤデータ処理部１０３から送信されたＲＧＢ各色の画像データに対して、画素内の各絵素間の階調差を少なくするような開口率の変換処理を行う。この階調差を少なくする処理としては、例えば、閾値処理、計算式を用いた処理などが挙げられる。
【０１２６】
バックライトデータ変換部４２２は、上記の開口率変換部４２１において行われた開口率の変換によって発生する各絵素の輝度変化を補うために、ＲＧＢ各色の光源の輝度データを変換する処理を行う。
【０１２７】
具体的には、開口率変換部４２１によって小さくなった各絵素間の階調差を補正するために、開口率変換部４２１によって開口率が低下する絵素の色と同じ色の光源の輝度を、開口率変換部４２１によって開口率が変化しない絵素の色と同じ色の光源の輝度よりも高くし、開口率変換部４２１によって開口率が上昇する絵素の色と同じ色の光源の輝度を、開口率変換部４２１によって開口率が変化しない絵素の色と同じ色の光源の輝度よりも低くするような、バックライトデータの変換処理を行う。
【０１２８】
以下に、電気的なクロストークを解消するために行う開口率の変換処理の具体例を示す。
【０１２９】
例えば、画像データの階調値を表現するために必要な輝度（表現色）が（Ｒ，Ｇ，Ｂ）＝（１００，１００，３０）で、バックライトデータ処理部１０４によってバックライト輝度が（Ｒ，Ｇ，Ｂ）＝（１００，１００，１００）となった場合、ＬＣＤの開口率は（Ｒ，Ｇ，Ｂ）＝（１００，１００，３０）となり、ＲＧＢ絵素間の階調差により電気的なクロストークが発生する。このような条件の場合、開口率変換部４２１では各絵素間の階調差を少なくする変換処理を行う。
【０１３０】
この一例として、ＲＧＢ絵素間の差分による処理を行う例、より具体的には、差分値が４０より大きい場合に、差分値が４０になるようにＬＣＤの開口率を上げる変換処理を行う例を以下に示す。
【０１３１】
開口率変換部４２１では、ＬＣＤの開口率を（Ｒ，Ｇ，Ｂ）＝（１００，１００，３０）から（１００，１００，６０）へと変換する。そして、開口率変換部４２１によってＢの開口率が２倍になったため、バックライトデータ変換部４２２ではＢの輝度を１／２倍にし、（Ｒ，Ｇ，Ｂ）＝（１００，１００，１００）から（１００，１００，５０）へと変換する処理を行う。
【０１３２】
他の例として、差分値が２０より大きい場合に、差分値が２０になるようにＬＣＤの開口率を下げる変換処理を行う例について以下に示す。
【０１３３】
開口率変換部４２１ではＬＣＤの開口率を（Ｒ，Ｇ，Ｂ）＝（１００，１００，３０）から（５０，５０，３０）へと変換する。そして、開口率変換部４２１によってＲ、Ｇの開口率が１／２倍になったため、バックライトデータ変換部４２２ではＢの輝度を２倍にし、（Ｒ，Ｇ，Ｂ）＝（１００，１００，１００）から（２００，２００，１００）へと変換する処理を行う。
【０１３４】
具体的な処理方法としては、閾値処理、計算式などのような様々な方法が可能であるが、上記のようにＲＧＢ絵素間の差分を基にして、各絵素の開口率の変換処理を行うことが好ましい。
【０１３５】
バックライト制御部１０６は、バックライトデータ処理部１０４から送信されるバックライトデータに基づいて、ＲＧＢ各色の光源の輝度制御を行う。なお、バックライト制御部１０６に送信されるバックライトデータは、クロストーク補正部内のバックライトデータ変換部４２２によって変換されたデータ内容を反映させたものである。
【０１３６】
ドライバ制御部１０７は、ＬＣＤデータ処理部１０３およびクロストーク補正部４０５内の開口率変換部４２１から送信されたデータに基づいて、ゲートドライバ１３１およびソースドライバ１３２を制御する。
【０１３７】
ゲートドライバ１３１は、液晶パネル３内の走査信号線に接続されており、各走査信号線に走査信号を供給している。
【０１３８】
ソースドライバ１３２は、液晶パネル３内のデータ信号線に接続されており、各データ信号線に、データ信号を供給している。なお、上記の開口率変換部４２１によって変換された開口率のデータは、ソースドライバ１３２およびデータ信号線を介して各絵素１２へ送られる。各絵素１２では、送信された開口率のデータに基づき表示が行われる。
【０１３９】
続いて、本実施の形態の液晶表示装置４００において画像表示を行うときの表示制御方法の一例について以下に説明する。
【０１４０】
なお、以下の説明では、液晶パネル３内の任意の画素３１を構成する各絵素１２ｒ・１２ｇ・１２ｂに対応する画像データの階調値を表現するために必要な輝度が、例えば、それぞれ１００、１００、３０である場合、これらをまとめて（Ｒ，Ｇ，Ｂ）＝（１００，１００，３０）と表現する。また、ＲＧＢ各色の光源に対応するバックライトデータの輝度については、例えば、それぞれ１００、１００、３０である場合、これらをまとめて（Ｒ，Ｇ，Ｂ）＝（１００，１００，３０）と表現する。各絵素の明るさ（輝度）は、絵素の開口率で表現することができ、本実施の形態では０〜１００の数値で表現される。
【０１４１】
図１１には、液晶パネル３内の任意の画素３１を構成する各絵素１２ｒ・１２ｇ・１２ｂにおける画像データおよびバックライトデータの変換例を示す。
【０１４２】
図１１の（ａ）には、クロストーク補正前の液晶パネル（ＬＣＤ）３内の任意の画素３１を構成する各絵素１２ｒ・１２ｇ・１２ｂの開口率の一例を示す。これらの画像データは、ＲＧＢ信号処理部１０２から送信されたデータに基づいてＬＣＤデータ処理部１０３が生成したものである。また、図１１の（ａ）には、バックライトのＲＧＢ各光源の輝度データを示す。この輝度データは、ＲＧＢ信号処理部１０２から送信されたデータに基づいてバックライトデータ処理部１０４が生成したものである。なお、ここでの各絵素の画像データの開口率およびバックライトの輝度の組み合わせによって表現される画素の色を、表現色と呼ぶ。
【０１４３】
図１１の（ｂ）には、（ａ）に対応する画像データが、クロストーク補正部４０５内の開口率変換部４２１およびバックライトデータ変換部４２２によって変換された後の画像データおよびバックライトデータを示す。
【０１４４】
この図に示すように、ＬＣＤの開口率は、開口率変換部４２１による処理によって、（１００，１００，３０）から（１００，１００，１００）に変換される。一方、バックライトの輝度は、バックライトデータ変換部４２２による処理によって、（１００，１００，１００）から（１００，１００，３０）に変換される。
【０１４５】
その後、開口率変換部４２１によって変換されたＬＣＤの開口率のデータは、ＬＣＤデータ処理部１０３で生成された画像データとともにドライバ制御部１０７へ送られる。ドライバ制御部１０７では、送信された画像データに基づきゲートドライバ１３１およびソースドライバ１３２へ送信される各種信号が生成される。
【０１４６】
また、バックライトデータ変換部４２２によって変換された輝度データは、バックライトデータ処理部１０４へ返信される。バックライトデータ処理部１０４は、送信された輝度データに基づいてデータ処理を行い、バックライト２を駆動するためのバックライト制御部１０６へ処理された輝度データを送信する。
【０１４７】
図１１の（ｃ）には、クロストーク補正部４０５によってクロストークの補正が行われた後の各絵素の画像データとバックライトの輝度とを組み合わせることによって得られる全体の輝度を示す。なお、クロストーク補正後の各絵素の開口率およびバックライトの輝度の組み合わせによって表現される画素の色を、再現色と呼ぶ。理想的なデータ変換処理が行われた場合、再現色は、表現色と同じ色となる。
【０１４８】
図１２には、図１１に示すデータ変換処理が行われたときの表現色および再現色の例を示す。図１２の（ａ）は、（Ｒ，Ｇ，Ｂ）＝（１００，１００，３０）の表現色を示す。また、図１２の（ｂ）は、図１１に示すデータ変換処理が行われた場合の再現色を示す。なお、図１２の（ｃ）には、比較のためにデータ変換処理が行われず電気的なクロストークが発生した場合の再現色を示す。
【０１４９】
図１２（ｃ）に示すように、データ変換処理を行わないと、電気的なクロストークの発生により、表現色とは異なる色になってしまう（色ずれが発生する）。これ対して、図１２（ｂ）に示すように、本実施の形態のデータ変換処理を行うと、表現色とほぼ同じ色を再現することができる。
【０１５０】
なお、図１２は白黒の画像で表現されているため、色度の違いを確認することは困難であるが、データ変換処理が行われていない図１２の（ｃ）では、図１２（ａ）の表現色と比較して、緑色の度合いが低下して全体的に赤みがかった再現色となっており、図１２の（ａ）とは肉眼で見て明らかに異なる色となっている。これに対して、データ変換処理を行った図１２の（ｂ）では、上記のような緑色の度合いの低下は抑えられており、肉眼で見て図１２の（ａ）の表現色とほぼ同様の色合いを有する再現色となっている。
【０１５１】
なお、図１２の（ａ）〜（ｃ）に示す各色をＲＧＢの階調値で数値化して表すと、（ａ）の色は、（Ｒ，Ｇ，Ｂ）＝（１００，１００，３０）であり、（ｂ）の色は、（Ｒ，Ｇ，Ｂ）＝（１００，１００，３０）であり、（ｃ）の色は、（Ｒ，Ｇ，Ｂ）＝（１００，８５，３０）である。
【０１５２】
本実施の形態の液晶表示装置４００では、上記のような表示制御を行うことによって、電気的なクロストークそのものの発生を抑えたり、減少させたりすることができる。
【０１５３】
なお、図１１に示すＬＣＤの開口率の変換例では、もとの画像データの開口率が（１００，１００，３０）の場合の変換例のみを示しているが、他の画素の画像データについては、Ｂの光源の輝度が３／１０倍となったことに伴って、Ｇ絵素の開口率を１０／３倍する変換を行えばよい。例えば、元の画像データの階調値を表現するのに必要な輝度値（開口率）が（Ｒ，Ｇ，Ｂ）＝（５０，２０，１５）の場合、バックライトの輝度が（１００，１００，１００）から（１００，１００，３０）へと変換されているため、絵素の開口率の変換は（５０，２０，１５）から（５０，２０，５０）となる。
【０１５４】
以上より、全画素に対して開口率の変換を行う場合には、以下のような流れで処理を行うことが好ましい。
【０１５５】
まず、ＲＧＢ信号処理部１０２で入力データを基にＲＧＢの平均階調値（より具体的には平均開口率）、最大階調値（より具体的には最大開口率）などを算出し、バックライトの輝度をどのように変換するかを決定する。
【０１５６】
例えば、ＲＧＢの平均階調値を表現するのに必要な輝度値（すなわち、平均開口率）が（Ｒ，Ｇ，Ｂ）＝（１００，１００，３０）である場合、ＢよりもＧの値が高く、ＧとＢの階調差が発生しやすい傾向と推測できる。そのため、バックライトデータ変換部４２２でＧの値を上げる、もしくはＢの値を下げるなどの処理を行う。バックライトデータ変換部４２２でＧの値を上げれば開口率変換部４２１ではＧの開口率が下がり、ＧとＢの階調差が減少する。また、バックライトデータ変換部４２２でＢの値を下げれば、開口率変換部４２１ではＢの開口率が上がり、ＧとＢの階調差が減少する。
【０１５７】
ここで、例えばＧの値を２倍に上げる場合は、バックライトの輝度が（１００，１００，１００）から（１００，２００，１００）へと変換される。その後、開口率変換部４２１では、Ｇの絵素の開口率を１／２にする変換処理を行う。
【０１５８】
なお、上記のように全画素に対して開口率の変換を行う場合には、上述したＲＧＢ絵素間の差分を基にして、各絵素の開口率の変換割合を決めてもよい。
【０１５９】
つまり、ＲＧＢの平均階調値を表現するのに必要な輝度値（すなわち、平均開口率）が（Ｒ，Ｇ，Ｂ）＝（１００，１００，３０）である場合、Ｒ，ＧとＢとの差分値が４０より大きいため、この差分値が４０になるように、開口率変換部４２１によってＢの開口率を２倍にする処理を行う必要がある。そこで、バックライトデータ変換部４２２では、Ｂの輝度を１／２倍にし、（Ｒ，Ｇ，Ｂ）＝（１００，１００，１００）から（１００，１００，５０）へと変換する処理を行う。その後、開口率変換部４２１では、全画素に対してＢの開口率を２倍にする変換処理を行う。
【０１６０】
以上のように、複数の画素を含む領域に対して一様の輝度でバックライトを照射するような構成の場合には、先にバックライトデータ変換部４２２における処理を行った後に、開口率変換部４２１において各絵素の開口率の変換処理を行うことが好ましい。これにより、変換処理を最適化することができるという効果が得られる。これは、開口率変換については絵素毎に変更することができたとしてもバックライトは一様であるため、一様であるバックライトデータを先に決定した方が各絵素の開口率を決定しやすいという理由による。
【０１６１】
（実施の形態３の変形例）
上記した液晶表示装置４００のバックライト２は、ＲＧＢ各色の光源の輝度をそれぞれ個別に制御可能にしているが、バックライト２の発光面全体について一様な輝度で照射を行うものである。しかし、本発明は、バックライトの発光面を複数の分割発光領域に分け、それぞれの領域の輝度を個別に制御することができるエリアアクティブ駆動式のバックライトを備えた液晶表示装置にも適用することができる。
【０１６２】
以下に、このようなエリアアクティブ駆動式のエリアアクティブ駆動式のバックライトを備えた液晶表示装置の構成と、表示制御方法について説明する。なお、液晶表示装置４００と同じ構成および表示制御が適用できる部分については、ここでは説明を省略する。
【０１６３】
図５には、エリアアクティブ駆動式のバックライト２０２を備えた液晶表示装置５００を示す。
【０１６４】
図５に示すように、液晶表示装置５００は、液晶パネル２０３と、液晶パネル２０３の背面に配置されたバックライト２０２とを備えている。なお、この図を見ればわかるように、液晶表示装置５００に設けられた液晶パネル２０３およびバックライト２０２の構造は、実施の形態１の変形例にかかる液晶表示装置２００の構造と同じである。そのため、ここでは各部の具体的な説明については省略する。
【０１６５】
次に、液晶表示装置５００において、エリアアクティブ駆動を行う方法について説明する。なお、液晶表示装置２００の動作を制御するための構成は、図１０に示す構成と同様の構成を適用することができるため、ここでは図１０を参照しながら説明する。
【０１６６】
先ず、実施の形態３と同様に、ＲＧＢ信号処理部１０２において、送信された映像信号に基づいて各絵素の画像データが生成され、バックライトデータ処理部１０４へ送信される。バックライトデータ処理部１０４では、送信された画像データから、液晶パネル２０３の分割表示領域ＲごとにＲＧＢ全絵素の最大階調を（各色とは無関係に）検出し、検出された最大階調を基に対応する分割発光領域Ｄのバックライトデータを決める。
【０１６７】
ここで決められた各領域Ｄのバックライトデータは、ＲＧＢ信号処理部１０２を介してＬＣＤデータ処理部１０３へ送信される。ＬＣＤデータ処理部１０３では、送信された各絵素の画像データとバックライトデータとに基づいて各絵素のデータを変換する。
【０１６８】
ここで、液晶パネル２０３の画像表示面を、２つの画素３１・３１を含む複数の分割表示領域Ｒ１、Ｒ２…に分割し、バックライト２０２の発光面を、上記の分割表示領域に対応する複数の分割発光領域Ｄ１、Ｄ２、…分割する場合の具体例について説明する。
【０１６９】
例えば、Ｒ１における一方の画素Ａの元の画像データの階調値を表現するための輝度（表現色に相当）が（Ｒ，Ｇ，Ｂ）＝（１００，０，５０）であり、他方の画素Ｂの元の画像データの階調値を表現するための輝度（表現色に相当）が（Ｒ，Ｇ，Ｂ）＝（０，１００，５０）であるとする。
【０１７０】
この場合、領域Ｒ１におけるＲＧＢそれぞれの色の絵素の最大開口率の組み合わせは、（Ｒ，Ｇ，Ｂ）＝（１００，１００，５０）である。そこで、バックライトデータ処理部１０４は、この最大開口率の組み合わせに基づいて、領域Ｄ１のＲＧＢ各色光源の輝度データを、（Ｒ，Ｇ，Ｂ）＝（１００，１００，５０）とする。
【０１７１】
そして、ＬＣＤデータ処理部１０３では、領域Ｄ１に対応する領域Ｒ１の画素Ａの入力画像データが（Ｒ，Ｇ，Ｂ）＝（１００，０，５０）であるため、上記のバックライトデータ処理を反映させて、出力画像データを（Ｒ，Ｇ，Ｂ）＝（１００，０，１００）とする。また、領域Ｄ１に対応する領域Ｒ１の画素Ｂの入力画像データが（Ｒ，Ｇ，Ｂ）＝（０，１００，５０）であるため、上記のバックライトデータ処理を反映させて、出力画像データを（Ｒ，Ｇ，Ｂ）＝（０，１００，１００）とする。
【０１７２】
なお、ＬＣＤデータ処理部１０３における上記のデータ変換処理は、例えば、ＲＧＢ各色ごとに、以下の（式２）によって実行することができる。
【０１７３】
出力画像データの階調値を表現するために必要な輝度（開口率）＝
〔入力画像データの階調値を表現するために必要な輝度（開口率）〕
÷（輝度データ）×１００      （式２）
上記の方法によれば、画像表示面を複数の領域に分割し、領域ごとにバックライトの輝度および液晶パネルの画像データを個別に制御するというエリアアクティブ駆動を実現することができる。
【０１７４】
但し、本発明におけるエリアアクティブ駆動の方法については、上記した方法に限定されることはなく、例えば特許文献３に開示されている方法などの公知の方法を適用することができる。
【０１７５】
以上のような処理を行うことによって、分割された領域ごとに画像データおよび輝度データの変換処理を行った後、各データは、クロストーク補正部４０５に送信される。クロストーク補正部４０５における開口率および輝度データの変換は、例えば、以下のようにして行われる。
【０１７６】
上記のようにして、領域Ｒ１におけるＲＧＢそれぞれの色の絵素の最大開口率に基づいて、対応する領域Ｄ１の輝度データを変換した場合、クロストーク補正前の画素Ａ、Ｂの表現色、開口率及びバックライトの輝度は下記のようになっている。
画素Ａ表現色    （Ｒ，Ｇ，Ｂ）＝（１００，    ０，  ５０）
画素Ｂ表現色    （Ｒ，Ｇ，Ｂ）＝（    ０，１００，  ５０）
バックライト輝度（Ｒ，Ｇ，Ｂ）＝（１００，１００，  ５０）
画素Ａ開口率    （Ｒ，Ｇ，Ｂ）＝（１００，    ０，１００）
画素Ｂ開口率    （Ｒ，Ｇ，Ｂ）＝（    ０，１００，１００）
この場合、画素ＡではＲとＧ及びＧとＢの階調差、画素ＢではＲとＧの階調差により電気的なクロストークが発生する。
【０１７７】
そこで、例えば、バックライトデータ変換部４２２においてバックライト輝度を全て２倍にする補正を行い、さらに、開口率変換部４２１において領域Ｒ１内の各絵素の開口率を全て１／２とする補正を行うという方法がある。
【０１７８】
これにより、バックライト輝度は、（Ｒ，Ｇ，Ｂ）＝（１００，１００，  ５０）から（２００，２００，１００）となり、画素Ａおよび画素Ｂの開口率は以下のようになる。
画素Ａ開口率    （Ｒ，Ｇ，Ｂ）＝（５０，  ０，５０）
画素Ｂ開口率    （Ｒ，Ｇ，Ｂ）＝（  ０，５０，５０）
このような処理を行うことによって、クロストーク補正前に比べて階調差が軽減される。
【０１７９】
〔実施の形態４〕
本発明の第４の実施形態について、以下に説明する。本実施形態では、光学的なクロストークおよび電気的なクロストークの両方を減少させるための液晶表示装置について説明する。
【０１８０】
図２には、本実施の形態にかかる液晶表示装置の断面構成を示す。図２に示すように、本実施の形態の液晶表示装置６００は、液晶パネル３と、液晶パネル３の背面に配置されたバックライト２とを備えている。なお、この図を見ればわかるように、液晶表示装置６００に設けられた液晶パネル３およびバックライト２の構造は、実施の形態１にかかる液晶表示装置１００の構造と同じである。そのため、ここでは各部の具体的な説明については省略する。
【０１８１】
続いて、液晶パネル３およびバックライト２の動作を制御するための構成について、図１３を参照しながら説明する。
【０１８２】
図１３に示すように、液晶表示装置６００には、映像信号入力部１０１、ＲＧＢ信号処理部１０２、ＬＣＤデータ処理部１０３、バックライトデータ処理部１０４、クロストーク補正部６０５、バックライト制御部１０６（バックライト輝度制御部）、ドライバ制御部１０７、ゲートドライバ１３１、および、ソースドライバ１３２などが設けられている。なお、各部および各ドライバは、回路によって実現される。
【０１８３】
映像信号入力部１０１は、ＴＶ受信機、ＶＴＲ、ＤＶＤなどから送信された映像信号を受信し、ＲＧＢ信号処理部１０２へ送信する。
【０１８４】
ＲＧＢ信号処理部１０２は、送信された映像信号に基づいて、各絵素に送信する画像データを生成する。ここでは、ＲＧＢ各色の絵素に送信するための画像データとして、Ｒ画像データ、Ｇ画像データ、Ｂ画像データをそれぞれ生成する。ここで生成された画像データは、ＬＣＤデータ処理部１０３およびバックライトデータ処理部１０４へ送信される。
【０１８５】
ＬＣＤデータ処理部１０３は、送信された画像データに基づいて、液晶パネルに目的とする画像表示を行うためのデータ処理を行う。
【０１８６】
バックライトデータ処理部１０４は、ＲＧＢ信号処理部１０２から送信された画像データに基づいて、バックライトの出力値を決定する処理を行う。
【０１８７】
クロストーク補正部６０５は、光学的なクロストーク補正および電気的なクロストークの補正の両方を行うものである。クロストーク補正部６０５内には、光学的なクロストーク補正を行うために、光学的クロストーク補正部６１１が設けられているとともに、電気的なクロストーク補正を行うために、電気的クロストーク補正部６１２が設けられている。また、クロストーク補正部６０５には、光学的なクロストーク補正および電気的なクロストークの補正を、それぞれ所定の比率で組み合わせた制御を行うために、演算部６１３が設けられている。
【０１８８】
さらに、光学的クロストーク補正部６１１には、液晶パネル３に設けられたカラーフィルタの特性と、各絵素の開口率（透過率）との関係によって生じる光学的なクロストークを減少させるために、液晶パネル３に送信される画像データにおける各絵素の開口率を変換する開口率変換部Ａ６２１と、バックライトデータを変換するバックライトデータ変換部Ａ６２２（バックライト輝度制御部）とが設けられている。これら各部では、図１に示す開口率変換部１２１およびバックライトデータ変換部１２２と同様の処理を行う。
【０１８９】
また、電気的クロストーク補正部６１２には、画素を構成している隣接するＲＧＢ絵素間で階調差があることによって発生する電気的なクロストークを減少させるために、液晶パネル３に送信される画像データにおける各絵素の開口率を変換する開口率変換部Ｂ６３１（第２の開口率変換部）と、バックライトデータを変換するバックライトデータ変換部Ｂ６３２（第２のバックライト輝度制御部）とを備えている。これら各部では、図１０に示す開口率変換部４２１およびバックライトデータ変換部４２２と同様の処理を行う。
【０１９０】
また、演算部６１３では、光学的クロストーク補正部６１１および電気的クロストーク補正部６１２においてそれぞれ行われたクロストーク補正結果に基づいて、最終的な補正量を決定する。本実施の形態では、各クロストーク補正をそれぞれ所定の割合で採用し、最終的な補正量を決定している。
【０１９１】
例えば、光学的クロストーク補正部６１１において、バックライトの輝度を、図３に示すように（１００，１００，１００）から（１００，２００，１００）に変換した場合と、電気的クロストーク補正部６１２において、バックライトの輝度を、図１１に示すように（１００，１００，１００）から（１００，１００，３０）に変換した場合の演算処理について、以下に説明する。ここでの制御比率は、光学的なクロストーク補正を８０％とし、電気的なクロストーク補正を２０％とする。但し、この制御比率は、場合に応じて適宜変更して設定することができる。
【０１９２】
この場合、演算部６１３から出力されるバックライトの輝度データは、以下の式によって算出される。
【０１９３】
出力輝度データ（Ｒ，Ｇ，Ｂ）＝
〔光学的クロストーク補正部からの輝度データ〕×０．８＋
〔光学的クロストーク補正部からの輝度データ〕×０．２
したがって、それぞれの数値を上記の式に当てはめると、
出力輝度データ（Ｒ，Ｇ，Ｂ）＝
（１００，２００，１００）×０．８＋
（１００，１００，３０）×０．２
＝（１００，１８０，８６）
以上より、演算部６１３から出力されるバックライトの輝度データは、（Ｒ，Ｇ，Ｂ）＝（１００，１８０，８６）となる。ＬＣＤの画像データの開口率についても、上記と同様の式で算出される。
【０１９４】
上記のような処理を行った後、クロストーク補正部６０５から出力されたＬＣＤの開口率のデータは、ＬＣＤデータ処理部１０３で生成された画像データとともにドライバ制御部１０７へ送られる。ドライバ制御部１０７では、送信された画像データに基づきゲートドライバ１３１およびソースドライバ１３２へ送信される各種信号が生成される。
【０１９５】
また、クロストーク補正部６０５から出力された輝度データは、バックライトデータ処理部１０４へ返信される。バックライトデータ処理部１０４は、送信された輝度データに基づいてデータ処理を行い、バックライト２を駆動するためのバックライト制御部１０６へ処理された輝度データを送信する。
【０１９６】
本実施の形態では、上記のような表示制御を行うことにより、光学的なクロストークと電気的なクロストークの両方を考慮したクロストーク補正を行うことができる。このように両方のクロストークを考慮した表示制御方法は、例えば、光学的なクロストークを補正することで、各絵素間の階調差が大きくなってしまい、電気的なクロストークがかえって増加してしまうという、各クロストークがトレードオフの関係にある場合に用いることができる。このような場合、両方の補正をそれぞれの比率で実行することにより、目的とする階調表示に近づける（再現色を表現色に近づける）ことで、最適な画像表示を実現することができる。
【０１９７】
なお、上述した実施の形態では、光学的なクロストーク補正と電気的なクロストーク補正とをそれぞれ所定の比率で行うものを例に挙げて説明したが、本発明はこれに限定はされない。これ以外の方法として、例えば、エリアアクティブ駆動式のバックライトを備えた液晶表示装置において、分割された発光領域ごとに、光学的なクロストーク補正および電気的なクロストーク補正の何れかを選択し、各発光領域で個別のクロストーク補正を行うこともできる。これ以外にも様々な方法で実現することができる。
【０１９８】
以上のように、本発明には、光学的なクロストークを補正するための光学的クロストーク補正部、および、電気的なクロストークを補正するための電気的クロストーク補正部の両方を備えている液晶表示装置も含まれる。そして、場合応じて、光学的クロストーク補正部によるクロストーク補正と、電気的クロストーク補正部によるクロストーク補正とを使い分けるという表示制御方法も本発明に含まれる。
【０１９９】
本発明にかかる液晶表示装置は、上記の課題を解決するために、画素がマトリクス状に配列された液晶パネルと該液晶パネルに対して光を照射するバックライトとを備えた液晶表示装置であって、上記画素は、互いに色の異なる複数の絵素で構成されており、各絵素は、当該絵素の色に対応したカラーフィルタを有しているとともに、上記絵素が有する上記カラーフィルタから透過される当該絵素の色とは異なる色の波長の光を減少させるために、入力された画像データにおける絵素の開口率を低下させて出力する開口率変換部と、上記開口率変換部によって低下する上記開口率を補うために、上記開口率を低下させないときと比較して、バックライトの輝度を高めるバックライト輝度制御部と、を備え、上記バックライト輝度制御部によって決定されたバックライトの輝度と、上記開口率変換部によって開口率の変換処理が行われた上記液晶パネルの各絵素の開口率とによって、目的とする階調表示を行うことを特徴としている。
【０２００】
本発明の液晶表示装置は、画素がマトリクス状に配列された液晶パネルと、それに対して光を照射するバックライトとを備えている。各画素には、互いに色の異なる複数の絵素が含まれている。つまり、一画素は、複数色の絵素で構成されている。このように、各絵素は、画素の一部を構成していることから副画素（サブピクセル）とも呼ばれる。
【０２０１】
そして、本発明の液晶表示装置には、上記絵素が有する上記カラーフィルタから透過される当該絵素の色とは異なる色の波長の光を減少させるために、入力された画像データにおける絵素の開口率を低下させて出力する開口率変換部が設けられている。この開口率変換部によって、入力された画像データの開口率が、該入力値よりも低い値となって出力される。これにより、例えば、緑色のカラーフィルタから青色波長域の光が漏れることによって生じる光学的なクロストークの発生量を低減させることができる。
【０２０２】
さらに、本発明の液晶表示装置には、上記のような開口率の変換処理によって生じる各絵素の表示階調の変化を補うために、バックライトの輝度を高めるバックライト輝度制御部が設けられている。そして、バックライト輝度制御部によって決定されたバックライトの輝度と、開口率変換部によって開口率の変換処理が行われた液晶パネルの各絵素の開口率とによって、目的とする階調表示を行っている。
【０２０３】
つまり、本発明の液晶表示装置においては、開口率変換部が液晶パネルに送信される画像データに対して処理を行って光学的なクロストークの発生量を減少させているとともに、この開口率の変換処理によって起こる画像データの目的階調からのずれを、バックライトの輝度を変更することによって補っている。
【０２０４】
上記の構成によれば、光学的なクロストークそのものの発生を抑えたり、発生量を減少させたりすることができる。そのため、従来の液晶パネル側の駆動回路のみによる光学的クロストーク解消法と比較して、クロストークの発生をより効果的に減少させることができる。したがって、光学的クロストークに起因した表示品位の低下を抑えることができる。また、本発明は、従来の光学的なクロストークの解消法と比較してより簡単な回路構成で実現することができる。
【０２０５】
本発明の液晶表示装置において、上記バックライトは、複数色の上記絵素に対応した色の光源をそれぞれ有しており、上記開口率変換部は、上記画素を構成している複数色の絵素のうち、当該絵素上に設けられたカラーフィルタから当該絵素の色とは異なる色の光がより多く透過されるカラーフィルタを有する絵素の画像データについて、開口率を低下させる処理を行うものであり、上記バックライト輝度制御部は、上記開口率変換部によって開口率の低下処理が行われる絵素の色に対応する色の光源について、他の色の光源の輝度と比較して、輝度をより高める処理を行うものであってもよい。
【０２０６】
上記の構成によれば、開口率の低下処理が行われる絵素の色と同じ色の光源について特異的に輝度を高くすることができ、それ以外の色の光源については、輝度を高くせず、もとの輝度のまま維持することができる。これにより、バックライトの輝度を全体的に高くする場合と比較して、開口率の低下処理が行われる絵素のカラーフィルタから透過される他の色の光の量をより多く低減させることができる。そのため、光学的なクロストークをより減少させることができる。また、特定の色の光源のみの輝度を高めることで、バックライトの輝度を全体的に高くする場合と比較して、消費電力を低くすることができる。
【０２０７】
本発明の液晶表示装置において、上記画素は、赤色、緑色、および青色の絵素で構成されており、上記バックライトは、赤色、緑色、および青色の光源を有しており、上記開口率変換部は、緑色の絵素の画像データについて、開口率を低下させる処理を行うものであり、上記バックライト輝度制御部は、赤色および青色の光源の輝度と比較して、緑色の光源の輝度をより高める処理を行うものであってもよい。
【０２０８】
上記の構成によれば、緑色の絵素のカラーフィルタから透過する青色の光を低減させることができる。これにより、緑のカラーフィルタから青色付近の波長が漏れ出ることによって発生する光学的なクロストークをより効果的に減少させることができる。
【０２０９】
本発明の液晶表示装置において、上記バックライトの発光面は、複数の発光領域に分割され、上記バックライト輝度制御部は、分割された発光領域ごとに異なる輝度制御を行うものであってもよい。
【０２１０】
上記の構成によれば、バックライトを分割された発光領域ごとに異なる輝度で発光させることができる。これにより、開口率変換部では、分割された各発光領域に対応する液晶パネルの表示領域ごとに、光学的なクロストークを補正するためのより適切な開口率の変換を行うことができる。
【０２１１】
本発明の液晶表示装置において、上記バックライトは、複数色の上記絵素に対応した色の光源をそれぞれ有しているとともに、一画素内に含まれる各絵素間の階調差が小さくなるように、入力された画像データにおける各絵素の開口率を変換して出力する第２の開口率変換部と、上記第２の開口率変換部によって小さくなった上記各絵素間の階調差を補正するために、上記第２の開口率変換部によって開口率が低下する絵素の色と同じ色の光源の輝度を、上記第２の開口率変換部によって開口率が変化しない絵素の色と同じ色の光源の輝度よりも高くし、上記第２の開口率変換部によって開口率が上昇する絵素の色と同じ色の光源の輝度を、上記第２の開口率変換部によって開口率が変化しない絵素の色と同じ色の光源の輝度よりも低くする、第２のバックライト輝度制御部と、をさらに備え、上記開口率変換部および上記バックライト輝度制御部と、上記第２の開口率変換部および上記第２のバックライト輝度制御部との少なくとも何れかを用いて各絵素の開口率の変換およびバックライトの輝度制御を行ってもよい。
【０２１２】
上記の構成では、上記開口率変換部および上記バックライト輝度制御部を有していることで、光学的なクロストークを補正することができる。これに加え、第２の開口率変換部および第２のバックライト輝度制御部をさらに有していることで、電気的なクロストークを補正することもできる。
【０２１３】
さらに、上記の構成では、場合に応じて、上記開口率変換部および上記バックライト輝度制御部と、上記第２の開口率変換部および上記第２のバックライト輝度制御部とを使い分けることによって、目的に応じてクロストークの補正を行うことができる。
【０２１４】
また、本発明にかかる液晶表示装置は、上記の課題を解決するために、画素がマトリクス状に配列された液晶パネルと該液晶パネルに対して光を照射するバックライトとを備えた液晶表示装置であって、上記画素は、互いに色の異なる複数の絵素で構成されており、各絵素は、当該絵素の色に対応したカラーフィルタを有しているとともに、上記バックライトは、複数色の上記絵素に対応した色の光源をそれぞれ有しており、一画素内に含まれる各絵素間の階調差が小さくなるように、入力された画像データにおける各絵素の開口率を変換して出力する開口率変換部と、上記開口率変換部によって小さくなった上記各絵素間の階調差を補正するために、上記開口率変換部によって開口率が低下する絵素の色と同じ色の光源の輝度を、上記開口率変換部によって開口率が変化しない絵素の色と同じ色の光源の輝度よりも高くし、上記開口率変換部によって開口率が上昇する絵素の色と同じ色の光源の輝度を、上記開口率変換部によって開口率が変化しない絵素の色と同じ色の光源の輝度よりも低くする、バックライト輝度制御部と、を備え、上記バックライト輝度制御部によって決定されたバックライトの輝度と、上記開口率変換部によって開口率の変換処理が行われた上記液晶パネルの各絵素の開口率とによって、目的とする階調表示を行うことを特徴としている。
【０２１５】
本発明の液晶表示装置は、画素がマトリクス状に配列された液晶パネルと、それに対して光を照射するバックライトとを備えている。各画素には、互いに色の異なる複数の絵素が含まれている。つまり、一画素は、複数色の絵素で構成されている。このように、各絵素は、画素の一部を構成していることから副画素（サブピクセル）とも呼ばれる。また、バックライトは、絵素が有している各色に対応した色の光源をそれぞれ有している。
【０２１６】
そして、本発明の液晶表示装置には、一画素内に含まれる各絵素間の階調差が小さくなるように、入力された画像データにおける各絵素の開口率を変換して出力する開口率変換部が設けられている。この開口率変換部によって、入力された画像データ中の隣接絵素間の開口率の差（すなわち、開口率の差によって生じる階調差）を、入力された時よりも小さくして出力することができる。これにより、一画素を構成している各色の絵素間に大きな階調差があることによって生じる電気的なクロストークの発生量を低減させることができる。
【０２１７】
さらに、本発明の液晶表示装置には、上記のような開口率の変換処理によって生じる各絵素の表示階調の変化を補うためのバックライト輝度制御部が設けられている。このバックライト輝度制御部は、開口率変換部によって開口率を低下させる処理を行った絵素の色と同じ色の光源の輝度を、開口率変換部によって開口率が変化しない絵素の色と同じ色の光源の輝度よりも高くし、開口率変換部によって開口率を上昇させる処理を行った絵素の色と同じ色の光源の輝度を、開口率変換部によって開口率が変化しない絵素の色と同じ色の光源の輝度よりも低くする、という制御を行っている。そして、バックライト輝度制御部によって決定されたバックライトの輝度と、開口率変換部によって開口率の変換処理が行われた液晶パネルの各絵素の開口率とによって、目的とする階調表示を行っている。
【０２１８】
つまり、本発明の液晶表示装置においては、開口率変換部が液晶パネルに送信される画像データに対して処理を行って電気的なクロストークの発生量を減少させているとともに、この開口率変換処理によって起こる画像データの目的階調からのずれを、バックライトの輝度を変更することによって補っている。
【０２１９】
上記の構成によれば、電気的なクロストークそのものの発生を抑えたり、発生量を減少させたりすることができる。そのため、従来の液晶パネル側の駆動回路のみによる電気的クロストーク解消法と比較して、クロストークの発生をより効果的に減少させることができる。したがって、電気的クロストークに起因した表示品位の低下を抑えることができる。また、本発明は、従来の電気的なクロストークの解消法と比較してより簡単な回路構成で実現することができる。
【０２２０】
本発明の液晶表示装置において、上記バックライトの発光面は、複数の発光領域に分割され、上記バックライト輝度制御部は、分割された発光領域ごとに異なる輝度制御を行うものであってもよい。
【０２２１】
上記の構成によれば、バックライトを分割された発光領域ごとに異なる輝度で発光させることができる。これにより、開口率変換部では、分割された各発光領域に対応する液晶パネルの表示領域ごとに、電気的なクロストークを補正するためのより適切な開口率の変換を行うことができる。
【０２２２】
また、本発明にかかる液晶表示装置の表示制御方法は、上記の課題を解決するために、画素がマトリクス状に配列された液晶パネルと該液晶パネルに対して光を照射するバックライトとを備え、上記画素は、互いに色の異なる複数の絵素で構成されており、各絵素は、当該絵素の色に対応したカラーフィルタを有している液晶表示装置の表示制御方法であって、上記絵素が有する上記カラーフィルタから透過される当該絵素の色とは異なる色の波長の光を減少させるために、入力された画像データにおける絵素の開口率を低下させて出力する開口率変換工程と、上記開口率変換工程によって低下する上記開口率を補うために、上記開口率を低下させないときと比較して、バックライトの輝度を高めるバックライト輝度制御工程と、を行い、上記バックライト輝度制御工程によって決定されたバックライトの輝度と、上記開口率変換工程によって開口率の変換処理が行われた上記液晶パネルの各絵素の開口率とによって、目的とする階調表示を行うことを特徴とする。
【０２２３】
上記の方法では、光学的なクロストークの補正を行うために、画像データにおける絵素の開口率を変換するだけでなく、バックライトの輝度制御も利用している。つまり、光学的なクロストークを減少させるために行った開口率の変換によって目的階調からずれた画像表示を、バックライトの輝度で補うことによって、目的とする階調表示を行っている。
【０２２４】
これにより、光学的なクロストークそのものの発生量を減少させることができる。そのため、予測外の原因により発生する光学的なクロストークの発生も減少させることができ、表示品位を向上させることができる。また、従来の光学的なクロストーク解消方法と比べて、簡単な回路構成で実現することができる。
【０２２５】
また、本発明にかかる液晶表示装置の表示制御方法は、上記の課題を解決するために、画素がマトリクス状に配列された液晶パネルと該液晶パネルに対して光を照射するバックライトとを備え、上記画素は、互いに色の異なる複数の絵素で構成されており、各絵素は、当該絵素の色に対応したカラーフィルタを有しているとともに、上記バックライトは、複数色の上記絵素に対応した色の光源をそれぞれ有している液晶表示装置の表示制御方法であって、一画素内に含まれる各絵素間の階調差が小さくなるように、入力された画像データにおける各絵素の開口率を変換して出力する開口率変換工程と、上記開口率変換工程によって小さくなった上記各絵素間の階調差を補正するために、上記開口率変換工程によって開口率が低下する絵素の色と同じ色の光源の輝度を、上記開口率変換工程によって開口率が変化しない絵素の色と同じ色の光源の輝度よりも高くし、上記開口率変換工程によって開口率が上昇する絵素の色と同じ色の光源の輝度を、上記開口率変換工程によって開口率が変化しない絵素の色と同じ色の光源の輝度よりも低くする、バックライト輝度制御工程と、を行い、上記バックライト輝度制御工程によって決定されたバックライトの輝度と、上記開口率変換工程によって開口率の変換処理が行われた上記液晶パネルの各絵素の開口率とによって、目的とする階調表示を行うことを特徴としている。
【０２２６】
上記の方法では、電気的なクロストークの補正を行うために、画像データにおける絵素の開口率を変換するだけでなく、バックライトの輝度制御も利用している。つまり、電気的なクロストークを減少させるために行った開口率の変換によって目的階調からずれた画像表示を、バックライトの輝度で補うことによって、目的とする階調表示を行っている。
【０２２７】
これにより、電気的なクロストークそのものの発生量を減少させることができる。そのため、予測外の原因により発生する電気的なクロストークの発生も減少させることができ、表示品位を向上させることができる。また、従来の電気的なクロストーク解消方法と比べて、簡単な回路構成で実現することができる。
【０２２８】
本発明は上述した各実施形態に限定されるものではなく、請求項に示した範囲で種々の変更が可能である。すなわち、請求項に示した範囲で適宜変更した技術的手段、あるいは、他の実施の形態において説明した技術的手段を組み合わせて得られる実施形態についても本発明の技術的範囲に含まれる。
【産業上の利用可能性】
【０２２９】
本発明の液晶表示装置を用いれば、クロストークの発生を抑えたり、減少させたりして、表示品位を向上させることができる。
【符号の説明】
【０２３０】
２    バックライト
３    液晶パネル
１１    アクティブマトリクス基板
１２    絵素（絵素電極）
１２ｒ・１２ｇ・１２ｂ    ＲＧＢ各絵素
１３    液晶層
１４    対向基板
２２    カラーフィルタ層
２２ｒ・２２ｇ・２２ｂ    カラーフィルタ部
３１    画素
３２ｒ・３２ｇ・３２ｂ    ＬＥＤ（光源）
１００    液晶表示装置
１０４    バックライトデータ処理部
１０５    クロストーク補正部
１０６    バックライト制御部（バックライト輝度制御部）
１２１    開口率変換部
１２２    バックライトデータ変換部（バックライト輝度制御部）
２００    液晶表示装置
２０２    バックライト
２０３    液晶パネル
３００    液晶表示装置
３０２    バックライト
４００    液晶表示装置
４０５    クロストーク補正部
４２１    開口率変換部
４２２    バックライトデータ変換部（バックライト輝度制御部）
５００    液晶表示装置
６００    液晶表示装置
６０５    クロストーク補正部
６１１    光学的クロストーク補正部
６１２    電気的クロストーク補正部
６１３    演算部
６２１    開口率変換部Ａ
６２２    バックライトデータ変換部Ａ（バックライト輝度制御部）
６３１    開口率変換部Ｂ
６３２    バックライトデータ変換部Ｂ（バックライト輝度制御部）
Ｄ    分割発光領域
Ｒ    分割表示領域
【図１】
2011004516.tif 000003
【図２】
2011004516.tif 000004
【図３】
2011004516.tif 000005
【図５】
2011004516.tif 000006
【図６】
2011004516.tif 000007
【図７】
2011004516.tif 000008
【図８】
2011004516.tif 000009
【図１０】
2011004516.tif 000010
【図１１】
2011004516.tif 000011
【図１３】
2011004516.tif 000012
【図１４】
2011004516.tif 000013
【図１５】
2011004516.tif 000014
【図１６】
2011004516.tif 000015
【図１７】
2011004516.tif 000016
【図１８】
2011004516.tif 000017
【図４】
2011004516.tif 000018
【図９】
2011004516.tif 000019
【図１２】
2011004516.tif 000020
【国際調査報告】
2011004516.tif 000021
2011004516.tif 000022
2011004516.tif 000023